(57)【要約】【課題】２×２画素のブロック単位で画素が配列されたベイヤ配列等の映像データを、SDIを用いて伝送する。【解決手段】マッピング部は、第１乃至第４の色にそれぞれ対応する２×２画素のブロック単位で画素が配列された映像データの第１乃至第４の色にそれぞれ対応する第１乃至第４の画素データを所定のSDI（Serial Digital Interface）のフォーマットで規定されるデータストリームの第１乃至第４の信号の領域にそれぞれ多重する。本技術は、例えば、放送用カメラに適用することができる。【選択図】図７
2015019182.tif 000002
【特許請求の範囲】
【請求項１】
第１乃至第４の色にそれぞれ対応する２×２画素のブロック単位で画素が配列された映像データの前記第１乃至第４の色にそれぞれ対応する第１乃至第４の画素データを所定のSDI（Serial Digital Interface）のフォーマットで規定されるデータストリームの第１乃至第４の信号の領域にそれぞれ多重するマッピング部を
備える信号処理装置。
【請求項２】
前記マッピング部は、前記データストリームがＮビット（Ｎ≧１０）単位で構成され、Ｎビットのうちの上位ｍビット（８≦ｍ≦Ｎ−２）が全て同じ値のデータが禁止コードに設定されている場合、前記データストリームのＮビットのうちの上位ｍ−２ビット及び下位Ｎ−ｍビットに前記映像データの画素データを多重し、前記データストリームの上位ｍビットのうちの下位２ビットを互いに異なる値に設定する
請求項１に記載の信号処理装置。
【請求項３】
前記マッピング部は、前記映像データの画素データのデータ長がＮ−２ビットより大きく２Ｎ−４ビット以下である場合、前記画素データの上位Ｎ−２ビットと残りのビットとを異なるデータストリームに多重する
請求項２に記載の信号処理装置。
【請求項４】
前記マッピング部は、前記映像データの画素データの上位Ｎ−２ビットを画素単位で第１のデータストリームと第２のデータストリームに分けて多重し、前記映像データの画素データの残りのビットを画素単位で第３のデータストリームと第４のデータストリームに分けて多重する
請求項３に記載の信号処理装置。
【請求項５】
前記第１のデータストリームと前記第２のデータストリームを多重化することにより、3G-SDI（3G-Serial Digital Interface）のフォーマットで規定される第１の3G-SDIのデータストリームを生成し、前記第３のデータストリームと前記第４のデータストリームを多重化することにより、第２の3G-SDIのデータストリームを生成する多重部を
さらに備える請求項４に記載の信号処理装置。
【請求項６】
前記マッピング部は、前記映像データの画素を前記ブロック単位で水平方向に交互に間引くことにより生成される第１の映像データ及び第２の映像データのうち、前記第１の映像データの画素データの上位Ｎ−２ビットを前記第１のデータストリームに多重し、前記第１の映像データの画素データの残りのビットを前記第３のデータストリームに多重し、前記第２の映像データの画素データの上位Ｎ−２ビットを前記第２のデータストリームに多重し、前記第２の映像データの画素データの残りのビットを前記第４のデータストリームに多重する
請求項４に記載の信号処理装置。
【請求項７】
前記映像データの前記ブロック単位の水平方向のラインを交互に間引くことにより、第１の映像データと第２の映像データに分離する分離部を
さらに備え、
前記マッピング部は、前記第１の映像データの画素データの上位Ｎ−２ビットを画素単位で第１のデータストリームと第２のデータストリームに分けて多重し、前記第１の映像データの画素データの残りのビットを画素単位で第３のデータストリームと第４のデータストリームに分けて多重し、前記第２の映像データの画素データの上位Ｎ−２ビットを画素単位で第５のデータストリームと第６のデータストリームに分けて多重し、前記第２の映像データの画素データの残りのビットを画素単位で第７のデータストリームと第８のデータストリームに分けて多重する
請求項３に記載の信号処理装置。
【請求項８】
前記第１のデータストリームと前記第２のデータストリームを多重化することにより、3G-SDI（3G-Serial Digital Interface）のフォーマットで規定される第１の3G-SDIのデータストリームを生成し、前記第３のデータストリームと前記第４のデータストリームを多重化することにより、第２の3G-SDIのデータストリームを生成し、前記第５のデータストリームと前記第６のデータストリームを多重化することにより、第３の3G-SDIのデータストリームを生成し、前記第７のデータストリームと前記第８のデータストリームを多重化することにより、第４の3G-SDIのデータストリームを生成する第１の多重部を
さらに備える請求項７に記載の信号処理装置。
【請求項９】
前記第１乃至前記第４の3G-SDIのデータストリームを多重化することにより、10.692GbpsのSDIのフォーマットで規定されるデータストリームを生成する第２の多重部を
さらに備える請求項８に記載の信号処理装置。
【請求項１０】
前記第１乃至前記第８のデータストリームを多重化することにより、10.692GbpsのSDIのフォーマットで規定されるデータストリームを生成する多重部を
さらに備える請求項７に記載の信号処理装置。
【請求項１１】
前記マッピング部は、前記映像データの画素データを画素単位で第１のデータストリームと第２のデータストリームに分けて多重する
請求項１に記載の信号処理装置。
【請求項１２】
前記映像データの前記ブロック単位の水平方向のラインを交互に間引くことにより、第１の映像データと第２の映像データに分離する分離部を
さらに備え、
前記マッピング部は、前記第１の映像データの画素データを画素単位で第１のデータストリームと第２のデータストリームに分けて多重し、前記第２の映像データの画素データを画素単位で第３のデータストリームと第４のデータストリームに分けて多重する
請求項１に記載の信号処理装置。
【請求項１３】
前記映像データの画素がベイヤ配列に従って配列され、前記第１の色及び前記第２の色が緑、前記第３の色が青、前記第４の色が赤である場合、前記第１の信号及び前記第２の信号がＹ信号、前記第３の信号がＣｂ信号、前記第４の信号がＣｒ信号であるか、或いは、前記第１の信号がＧ信号、前記第２の信号がＡ（Auxiliary）信号、前記第３の信号がＢ信号、前記第４の信号がＲ信号である
請求項１に記載の信号処理装置。
【請求項１４】
前記映像データの画素がRGBW配列に従って配列され、前記第１の色が赤、前記第２の色が緑、前記第３の色が青、前記第４の色が白である場合、前記第１の信号がＲ信号、前記第２の信号がＧ信号、前記第３の信号がＢ信号、前記第４の信号がＡ（Auxiliary）信号である
請求項１に記載の信号処理装置。
【請求項１５】
信号処理装置が、
第１乃至第４の色にそれぞれ対応する２×２画素のブロック単位で画素が配列された映像データの前記第１乃至第４の色にそれぞれ対応する第１乃至第４の画素データを所定のSDI（Serial Digital Interface）のフォーマットで規定されるデータストリームの第１乃至第４の信号の領域にそれぞれ多重するマッピングステップを
含む信号処理方法。
【請求項１６】
第１乃至第４の色にそれぞれ対応する２×２画素のブロック単位で画素が配列された映像データの前記第１乃至第４の色にそれぞれ対応する第１乃至第４の画素データを所定のSDI（Serial Digital Interface）のフォーマットで規定されるデータストリームの第１乃至第４の信号の領域にそれぞれ多重するマッピングステップを
含む処理をコンピュータに実行させるためのプログラム。
【請求項１７】
第１乃至第４の色にそれぞれ対応する２×２画素のブロック単位で画素が配列された映像データの前記第１乃至第４の色にそれぞれ対応する第１乃至第４の画素データが所定のSDI（Serial Digital Interface）のフォーマットで規定されるデータストリームの第１乃至第４の信号の領域にそれぞれ多重されたデータストリームから、前記第１乃至第４の画素データを抽出し、前記映像データを復元する再生部を
備える信号処理装置。
【請求項１８】
信号処理装置が、
第１乃至第４の色にそれぞれ対応する２×２画素のブロック単位で画素が配列された映像データの前記第１乃至第４の色にそれぞれ対応する第１乃至第４の画素データが所定のSDI（Serial Digital Interface）のフォーマットで規定されるデータストリームの第１乃至第４の信号の領域にそれぞれ多重されたデータストリームから、前記第１乃至第４の画素データを抽出し、前記映像データを復元する再生ステップを
含む信号処理方法。
【請求項１９】
第１乃至第４の色にそれぞれ対応する２×２画素のブロック単位で画素が配列された映像データの前記第１乃至第４の色にそれぞれ対応する第１乃至第４の画素データが所定のSDI（Serial Digital Interface）のフォーマットで規定されるデータストリームの第１乃至第４の信号の領域にそれぞれ多重されたデータストリームから、前記第１乃至第４の画素データを抽出し、前記映像データを復元する再生ステップを
含む処理をコンピュータに実行させるためのプログラム。
【請求項２０】
第１乃至第４の色にそれぞれ対応する２×２画素のブロック単位で画素が配列された映像データの前記第１乃至第４の色にそれぞれ対応する第１乃至第４の画素データを所定のSDI（Serial Digital Interface）のフォーマットで規定されるデータストリームの第１乃至第４の信号の領域にそれぞれ多重するマッピング部と、
前記データストリームの送信を制御する送信制御部と
を備える信号送信装置と、
前記データストリームの受信を制御する受信制御部と、
前記データストリームから前記第１乃至第４の画素データを抽出し、前記映像データを復元する再生部と
を備える信号受信装置と
を含む信号伝送システム。
【発明の詳細な説明】
【技術分野】
【０００１】
本技術は、信号処理装置、信号処理方法、プログラム、及び、信号伝送システムに関し、例えば、ベイヤ配列等の映像データをSDI（Serial Digital Interface）を用いて伝送する場合に適用して好適な信号処理装置、信号処理方法、プログラム、及び、信号伝送システムに関する。
【背景技術】
【０００２】
従来、HD（High Definition）の映像データ（２Ｋ映像データ）を超える超高精細映像データ（４Ｋ映像データ）をHD-SDI（High Definition- Serial Digital Interface）等を用いて伝送する技術が提案されている（例えば、特許文献１参照）。
【先行技術文献】
【特許文献】
【０００３】
【特許文献１】特許第４６４５６３８号公報
【発明の概要】
【発明が解決しようとする課題】
【０００４】
しかしながら、従来、２×２画素のブロック単位で画素が配列されたベイヤ配列等の映像データを、SDIを用いて伝送する技術は確立されていない。
【０００５】
そこで、本技術は、２×２画素のブロック単位で画素が配列されたベイヤ配列等の映像データを、SDIを用いて伝送できるようにするものである。
【課題を解決するための手段】
【０００６】
本技術の第１の側面の信号処理装置は、第１乃至第４の色にそれぞれ対応する２×２画素のブロック単位で画素が配列された映像データの前記第１乃至第４の色にそれぞれ対応する第１乃至第４の画素データを所定のSDI（Serial Digital Interface）のフォーマットで規定されるデータストリームの第１乃至第４の信号の領域にそれぞれ多重するマッピング部を備える。
【０００７】
前記マッピング部には、前記データストリームがＮビット（Ｎ≧１０）単位で構成され、Ｎビットのうちの上位ｍビット（８≦ｍ≦Ｎ−２）が全て同じ値のデータが禁止コードに設定されている場合、前記データストリームのＮビットのうちの上位ｍ−２ビット及び下位Ｎ−ｍビットに前記映像データの画素データを多重し、前記データストリームの上位ｍビットのうちの下位２ビットを互いに異なる値に設定させることができる。
【０００８】
前記マッピング部には、前記映像データの画素データのデータ長がＮ−２ビットより大きく２Ｎ−４ビット以下である場合、前記画素データの上位Ｎ−２ビットと残りのビットとを異なるデータストリームに多重させることができる。
【０００９】
前記マッピング部には、前記映像データの画素データの上位Ｎ−２ビットを画素単位で第１のデータストリームと第２のデータストリームに分けて多重し、前記映像データの画素データの残りのビットを画素単位で第３のデータストリームと第４のデータストリームに分けて多重させることができる。
【００１０】
前記第１のデータストリームと前記第２のデータストリームを多重化することにより、3G-SDI（3G-Serial Digital Interface）のフォーマットで規定される第１の3G-SDIのデータストリームを生成し、前記第３のデータストリームと前記第４のデータストリームを多重化することにより、第２の3G-SDIのデータストリームを生成する多重部をさらに設けることができる。
【００１１】
前記マッピング部には、前記映像データの画素を前記ブロック単位で水平方向に交互に間引くことにより生成される第１の映像データ及び第２の映像データのうち、前記第１の映像データの画素データの上位Ｎ−２ビットを前記第１のデータストリームに多重し、前記第１の映像データの画素データの残りのビットを前記第３のデータストリームに多重させ、前記第２の映像データの画素データの上位Ｎ−２ビットを前記第２のデータストリームに多重し、前記第２の映像データの画素データの残りのビットを前記第４のデータストリームに多重させることができる。
【００１２】
前記映像データの前記ブロック単位の水平方向のラインを交互に間引くことにより、第１の映像データと第２の映像データに分離する分離部をさらに設け、前記マッピング部には、前記第１の映像データの画素データの上位Ｎ−２ビットを画素単位で第１のデータストリームと第２のデータストリームに分けて多重させ、前記第１の映像データの画素データの残りのビットを画素単位で第３のデータストリームと第４のデータストリームに分けて多重させ、前記第２の映像データの画素データの上位Ｎ−２ビットを画素単位で第５のデータストリームと第６のデータストリームに分けて多重させ、前記第２の映像データの画素データの残りのビットを画素単位で第７のデータストリームと第８のデータストリームに分けて多重させることができる。
【００１３】
前記第１のデータストリームと前記第２のデータストリームを多重化することにより、3G-SDI（3G-Serial Digital Interface）のフォーマットで規定される第１の3G-SDIのデータストリームを生成し、前記第３のデータストリームと前記第４のデータストリームを多重化することにより、第２の3G-SDIのデータストリームを生成し、前記第５のデータストリームと前記第６のデータストリームを多重化することにより、第３の3G-SDIのデータストリームを生成し、前記第７のデータストリームと前記第８のデータストリームを多重化することにより、第４の3G-SDIのデータストリームを生成する第１の多重部をさらに設けることができる。
【００１４】
前記第１乃至前記第４の3G-SDIのデータストリームを多重化することにより、10.692GbpsのSDIのフォーマットで規定されるデータストリームを生成する第２の多重部をさらに設けることができる。
【００１５】
前記第１乃至前記第８のデータストリームを多重化することにより、10.692GbpsのSDIのフォーマットで規定されるデータストリームを生成する多重部をさらに設けることができる。
【００１６】
前記マッピング部には、前記映像データの画素データを画素単位で第１のデータストリームと第２のデータストリームに分けて多重させることができる。
【００１７】
前記映像データの前記ブロック単位の水平方向のラインを交互に間引くことにより、第１の映像データと第２の映像データに分離する分離部をさらに設け、前記マッピング部には、前記第１の映像データの画素データを画素単位で第１のデータストリームと第２のデータストリームに分けて多重させ、前記第２の映像データの画素データを画素単位で第３のデータストリームと第４のデータストリームに分けて多重させることができる。
【００１８】
前記映像データの画素がベイヤ配列に従って配列され、前記第１の色及び前記第２の色が緑、前記第３の色が青、前記第４の色が赤である場合、前記第１の信号及び前記第２の信号がＹ信号、前記第３の信号がＣｂ信号、前記第４の信号がＣｒ信号であるか、或いは、前記第１の信号がＧ信号、前記第２の信号がＡ（Auxiliary）信号、前記第３の信号がＢ信号、前記第４の信号がＲ信号であるようにすることができる。
【００１９】
前記映像データの画素がRGBW配列に従って配列され、前記第１の色が赤、前記第２の色が緑、前記第３の色が青、前記第４の色が白である場合、前記第１の信号がＲ信号、前記第２の信号がＧ信号、前記第３の信号がＢ信号、前記第４の信号がＡ（Auxiliary）信号であるようにすることができる。
【００２０】
本技術の第１の側面の信号処理方法は、信号処理装置が、第１乃至第４の色にそれぞれ対応する２×２画素のブロック単位で画素が配列された映像データの前記第１乃至第４の色にそれぞれ対応する第１乃至第４の画素データを所定のSDI（Serial Digital Interface）のフォーマットで規定されるデータストリームの第１乃至第４の信号の領域にそれぞれ多重するマッピングステップを含む。
【００２１】
本技術の第１の側面のプログラムは、第１乃至第４の色にそれぞれ対応する２×２画素のブロック単位で画素が配列された映像データの前記第１乃至第４の色にそれぞれ対応する第１乃至第４の画素データを所定のSDI（Serial Digital Interface）のフォーマットで規定されるデータストリームの第１乃至第４の信号の領域にそれぞれ多重するマッピングステップを含む処理をコンピュータに実行させる。
【００２２】
本技術の第２の側面の信号処理装置は、第１乃至第４の色にそれぞれ対応する２×２画素のブロック単位で画素が配列された映像データの前記第１乃至第４の色にそれぞれ対応する第１乃至第４の画素データが所定のSDI（Serial Digital Interface）のフォーマットで規定されるデータストリームの第１乃至第４の信号の領域にそれぞれ多重されたデータストリームから、前記第１乃至第４の画素データを抽出し、前記映像データを復元する再生部を備える。
【００２３】
本技術の第２の側面の信号処理方法は、信号処理装置が、第１乃至第４の色にそれぞれ対応する２×２画素のブロック単位で画素が配列された映像データの前記第１乃至第４の色にそれぞれ対応する第１乃至第４の画素データが所定のSDI（Serial Digital Interface）のフォーマットで規定されるデータストリームの第１乃至第４の信号の領域にそれぞれ多重されたデータストリームから、前記第１乃至第４の画素データを抽出し、前記映像データを復元する再生ステップを含む。
【００２４】
本技術の第２の側面のプログラムは、第１乃至第４の色にそれぞれ対応する２×２画素のブロック単位で画素が配列された映像データの前記第１乃至第４の色にそれぞれ対応する第１乃至第４の画素データが所定のSDI（Serial Digital Interface）のフォーマットで規定されるデータストリームの第１乃至第４の信号の領域にそれぞれ多重されたデータストリームから、前記第１乃至第４の画素データを抽出し、前記映像データを復元する再生ステップを含む処理をコンピュータに実行させる。
【００２５】
本技術の第３の側面の信号伝送システムは、第１乃至第４の色にそれぞれ対応する２×２画素のブロック単位で画素が配列された映像データの前記第１乃至第４の色にそれぞれ対応する第１乃至第４の画素データを所定のSDI（Serial Digital Interface）のフォーマットで規定されるデータストリームの第１乃至第４の信号の領域にそれぞれ多重するマッピング部と、前記データストリームの送信を制御する送信制御部とを備える信号送信装置と、前記データストリームの受信を制御する受信制御部と、前記データストリームから前記第１乃至第４の画素データを抽出し、前記映像データを復元する再生部とを備える信号受信装置とを含む。
【００２６】
本技術の第１の側面においては、第１乃至第４の色にそれぞれ対応する２×２画素のブロック単位で画素が配列された映像データの前記第１乃至第４の色にそれぞれ対応する第１乃至第４の画素データを所定のSDI（Serial Digital Interface）のフォーマットで規定されるデータストリームの第１乃至第４の信号の領域にそれぞれ多重される。
【００２７】
本技術の第２の側面においては、第１乃至第４の色にそれぞれ対応する２×２画素のブロック単位で画素が配列された映像データの前記第１乃至第４の色にそれぞれ対応する第１乃至第４の画素データが所定のSDI（Serial Digital Interface）のフォーマットで規定されるデータストリームの第１乃至第４の信号の領域にそれぞれ多重されたデータストリームから、前記第１乃至第４の画素データが抽出され、前記映像データが復元される。
【００２８】
本技術の第３の側面においては、第１乃至第４の色にそれぞれ対応する２×２画素のブロック単位で画素が配列された映像データの前記第１乃至第４の色にそれぞれ対応する第１乃至第４の画素データが所定のSDI（Serial Digital Interface）のフォーマットで規定されるデータストリームの第１乃至第４の信号の領域にそれぞれ多重され、前記データストリームの送信が制御され、前記データストリームの受信が制御され、前記データストリームから前記第１乃至第４の画素データが抽出され、前記映像データが復元される。
【発明の効果】
【００２９】
本技術の第１乃至第３の側面によれば、２×２画素のブロック単位で画素が配列されたベイヤ配列等の映像データを、SDIを用いて伝送することができる。
【図面の簡単な説明】
【００３０】
【図１】信号伝送システムの全体構成を示す図である。
【図２】４ＫのRAWデータの１フレーム分のデータ構成例を示す図である。
【図３】ベイヤ配列の構成を示す図である。
【図４】本技術の第１の実施の形態に係る放送用カメラの機能の構成例を示すブロック図である。
【図５】本技術の第１の実施の形態に係るCCUの機能の構成例を示すブロック図である。
【図６】RAWデータ送信処理の第１の実施の形態を説明するためのフローチャートである。
【図７】画素データの並べ替えの例を示す図である。
【図８】データストリームへの画素データの多重方法を説明するための図である。
【図９】データストリームへの画素データの多重方法を説明するための図である。
【図１０】データストリームの構成例を示す図である。
【図１１】RAWデータ受信処理の第１の実施の形態を説明するためのフローチャートである。
【図１２】画素データの並べ替えの第１の変形例を示す図である。
【図１３】画素データの並べ替えの第２の変形例を示す図である。
【図１４】本技術の第２の実施の形態に係る放送用カメラの機能の構成例を示すブロック図である。
【図１５】本技術の第２の実施の形態に係るCCUの機能の構成例を示すブロック図である。
【図１６】RAWデータ送信処理の第２の実施の形態を説明するためのフローチャートである。
【図１７】RAWデータの分離方法を説明するための図である。
【図１８】データストリームの構成例を示す図である。
【図１９】データストリームの構成例を示す図である。
【図２０】RAWデータ受信処理の第２の実施の形態を説明するためのフローチャートである。
【図２１】本技術の第３の実施の形態に係る放送用カメラの機能の構成例を示すブロック図である。
【図２２】放送用カメラの信号処理部の詳細な機能の構成例を示すブロック図である。
【図２３】本技術の第３の実施の形態に係るCCUの機能の構成例を示すブロック図である。
【図２４】CCUの信号処理部の詳細な機能の構成例を示すブロック図である。
【図２５】RAWデータ送信処理の第３の実施の形態を説明するためのフローチャートである。
【図２６】LN及びCRCのデータの抽出及び整列方法を説明するための図である。
【図２７】SAVのデータの置き換えを説明するための図である。
【図２８】10G-SDIのデータストリームの生成方法を説明するための図である。
【図２９】10G-SDIのデータストリームの構成例を示す図である。
【図３０】10G-SDIのデータストリームのデータサイズの例を示す表である。
【図３１】RAWデータ受信処理の第３の実施の形態を説明するためのフローチャートである。
【図３２】本技術の第４の実施の形態に係る放送用カメラの機能の構成例を示すブロック図である。
【図３３】放送用カメラの信号処理部の詳細な機能の構成例を示すブロック図である。
【図３４】本技術の第４の実施の形態に係るCCUの機能の構成例を示すブロック図である。
【図３５】CCUの信号処理部の詳細な機能の構成例を示すブロック図である。
【図３６】10G-SDIのデータストリームの生成方法を説明するための図である。
【図３７】10G-SDIのデータストリームの構成例を示す図である。
【図３８】10G-SDIのデータストリームのデータサイズの例を示す表である。
【図３９】本技術の第５の実施の形態を説明するための図である。
【図４０】本技術の第６の実施の形態の方式１を説明するための図である。
【図４１】本技術の第６の実施の形態の方式２を説明するための図である。
【図４２】本技術の第６の実施の形態の方式３を説明するための図である。
【図４３】本技術の第６の実施の形態の方式３を説明するための図である。
【図４４】本技術の第６の実施の形態の方式３を説明するための図である。
【図４５】RGBW配列の構成を示す図である。
【図４６】コンピュータの構成例を示すブロック図である。
【発明を実施するための形態】
【００３１】
以下、本技術を実施するための形態（以下、実施の形態という）について説明する。なお、説明は以下の順序で行う。
１．信号伝送システムの構成例
２．RAWデータの構成例
３．第１の実施の形態（23.98P-30Pの４ＫのRAWデータを3G-SDIのレベルＢ等を用いて伝送する場合）
４．第１の実施の形態の変形例
５．第２の実施の形態（47.95P-60Pの４ＫのRAWデータを3G-SDIのレベルＢ等を用いて伝送する場合）
６．第２の実施の形態の変形例
７．第３の実施の形態（10G-SDIを用いて伝送する場合）
８．第３の実施の形態の変形例
９．第４の実施の形態（RAWデータとともにトランクラインを伝送する場合）
１０．第４の実施の形態の変形例
１１．第５の実施の形態（23.98P-30Pの４ＫのRAWデータを3G-SDIのレベルＡを用いて伝送する場合）
１２．第６の実施の形態（47.95P-60Pの４ＫのRAWデータを3G-SDIのレベルＡを用いて伝送する場合）
１３．その他の変形例
【００３２】
＜１．信号伝送システム１の構成例＞
まず、図１を参照して、後述する本技術の第１乃至第６の実施の形態において共通に用いられる信号伝送システム１の構成例について説明する。
【００３３】
信号伝送システム１は、ｎ台の放送用カメラ１１−１乃至１１−ｎ及びCCU（カメラコントロールユニット）１２を含むように構成される。放送用カメラ１１−１乃至１１−ｎは、それぞれ光ファイバケーブル１３−１乃至１３−ｎを介してCCU１２に接続されている。
【００３４】
なお、以下、放送用カメラ１１−１乃至１１−ｎを個々に区別する必要がない場合、単に、放送用カメラ１１と称する。また、以下、光ファイバケーブル１３−１乃至１３−ｎを個々に区別する必要がない場合、単に、光ファイバケーブル１３と称する。
【００３５】
放送用カメラ１１は、SDIを用いてベイヤ配列のRAWデータを送信する信号送信方法を適用した信号送信装置として用いられる。また、CCU１２は、SDIを用いてベイヤ配列のRAWデータを受信する信号受信方法を適用した信号受信装置として用いられる。そして、放送用カメラ１１とCCU１２を組み合わせた信号伝送システム１は、SDIを用いてベイヤ配列のRAWデータを送受信する信号伝送システムとして用いられる。
【００３６】
各放送用カメラ１１は、撮影の結果得られるベイヤ配列のRAWデータを、光ファイバケーブル１３を介してCCU１２に送信する。
【００３７】
CCU１２は、各放送用カメラ１１を制御したり、各放送用カメラ１１からRAWデータを受信したり、各放送用カメラ１１のモニタに他の放送用カメラ１１で撮影中の映像を表示させるための映像信号（リターンビデオ）を送信したりする。
【００３８】
＜２．RAWデータの構成例＞
図２は、後述する本技術の第１乃至第６の実施の形態において伝送する対象となる４ＫのRAWデータの１フレーム分のデータ構成例を示している。図２の各マスは１つの画素を示し、画素内の数字は座標を示している。なお、以下、座標（x，ｙ）の画素を画素（ｘ，ｙ）と表す。
【００３９】
このRAWデータでは、4096サンプル×2160ラインの画素がベイヤ配列に従って並べられている。すなわち、図３に示されるように、Ｇｒ（Ｒの横に隣接する緑）、Ｇｂ（Ｂの横に隣接する緑）、Ｒ（赤）及びＢ（青）の各色にそれぞれ対応する２×２画素のブロック単位（以下、ベイヤ配列単位と称する）で画素が配列されている。例えば、Ｒに対応する画素（０，０）、Ｇｒに対応する画素（１，０）、Ｇｂに対応する画素（０，１）及びＢに対応する画素（１，１）の４画素が、１つのベイヤ配列単位を構成する。
【００４０】
なお、図２の各画素の背景には、図３の各色に対応する画素の背景のパターンに従って、対応する色ごとに異なるパターンが施されている。
【００４１】
また、以下、例えば、Ｒ（０，０）、Ｇｒ（１，０）、Ｇｂ（０，１）、Ｂ（１，１）のように、各画素を対応する色と座標により表す場合がある。さらに、以下、Ｇｒ、Ｇｂ、Ｒ、Ｂに対応する画素を、それぞれＧｒサンプル、Ｇｂサンプル、Ｒサンプル、Ｂサンプルとも称する。また、以下、RAWデータをベイヤ配列単位で扱う場合、左端のベイヤ配列単位を０番目のサンプルとし、以下、右方向に１番目のサンプル、２番目のサンプル、・・・と数えることとする。従って、例えば、ベイヤ配列単位で１ライン目の０番目のサンプルには、Ｒ（０，０）、Ｇｒ（１，０）、Ｇｂ（０，１）、Ｂ（１，１）が含まれ、１番目のサンプルには、Ｒ（２，０）、Ｇｒ（３，０）、Ｇｂ（２，１）、Ｂ（３，１）が含まれる。さらに、以下、ベイヤ配列単位で偶数番目のサンプルを偶数サンプルと称し、奇数番目のサンプルを奇数サンプルと称する。従って、ベイヤ配列単位で、０番目、２番目、４番目・・・のサンプルが偶数サンプルとなり、１番目、３番目、５番目・・・のサンプルが奇数サンプルとなる。
【００４２】
RAWデータの各画素の画素値は、受光レベルを所定のビット数Ｐで量子化しただけの未加工の値で表される。なお、RAWデータのビット数Ｐは、例えば、１６ビット以下の所定の値（例えば、１６ビット、１４ビット又は１２ビット等）に設定される。
【００４３】
なお、以下、RAWデータ等の映像データの画素値の各ビットを上位から順番に、ｂ１５，ｂ１４，ｂ１３，ｂ１２，ｂ１１，ｂ１０，ｂ９，ｂ８，ｂ７，ｂ６，ｂ５，ｂ４，ｂ３，ｂ２，ｂ１，ｂ０により表す。なお、画素値が１６ビット未満である場合にも、同様に画素値の上位からｂ１５，ｂ１４，ｂ１３・・・の順に表す。例えば、画素値が１０ビットの場合、各ビットを上位からｂ１５，ｂ１４，ｂ１３，ｂ１２，ｂ１１，ｂ１０，ｂ９，ｂ８，ｂ７，ｂ６により表す。
【００４４】
また、以下、SDIフォーマットで規定された１０ビット単位（ワード長が１０ビット）のデータストリームの１０ビットのデータを、上位からＢ９，Ｂ８，Ｂ７，Ｂ６，Ｂ５，Ｂ４，Ｂ３，Ｂ２，Ｂ１，Ｂ０の順に表す。
【００４５】
さらに、以下、ｍサンプル（画素）×ｎラインで表される映像データを、ｍ×ｎと略記する。また、以下、水平方向のサンプル数ｍ×垂直方向のライン数ｎで１秒当たりのフレーム数ｆの映像データを、ｍ×ｎ／ｆと略記する。さらに、以下、フレームレートの範囲をｆ１−ｆ２により表す。例えば、23.98P−60Pと記載した場合、23.98Hz，24Hz，25Hz，29.97Hz，30Hz，50Hz，59.94Hz，60Hzのフレームレートのプログレッシブ方式の映像データが含まれる。
【００４６】
また、以下、原色信号伝送方式の赤信号Ｒ：緑信号Ｇ：青信号Ｂの比率、又は、色差信号伝送方式の輝度信号Ｙ：第１色差信号Ｃｂ：第２色差信号Ｃｒの比率を、ｘ：ｙ：ｚで表す。さらに、以下、Ｒ：Ｇ：Ｂ＝ｘ：ｙ：ｚの映像データを、x:y:z（RGB）の映像データと略記し、Ｙ：Ｃｂ：Ｃｒ＝ｘ：ｙ：ｚの映像データを、x:y:z（YCbCr）の映像データと略記する。
【００４７】
また、以下、HD-SDIフォーマットで規定されたデータストリームをHD-SDIのデータストリーム又は単にHD-SDIと略記する場合がある。さらに、以下、3G-SDIフォーマットで規定されたデータストリームを3G-SDIのデータストリーム又は単に3G-SDIと略記する場合がある。
【００４８】
＜３．第１の実施の形態＞
次に、図４乃至図１３を参照して、本技術の第１の実施の形態について説明する。本技術の第１の実施の形態は、SMPTE 425-1に規定される3G-SDIのレベルＢの規定に従って、23.98P-30Pの４Ｋのベイヤ配列のRAWデータを２チャネルのデータストリームにより伝送できるようにするものである。
【００４９】
［放送用カメラ１１ａの回路構成例］
図４は、図１の放送用カメラ１１の第１の実施の形態である放送用カメラ１１ａの一部の機能の構成例を示すブロック図である。
【００５０】
放送用カメラ１１ａは、撮像素子１０１、信号処理部１０２及び送信制御部１０３を含むように構成される。また、信号処理部１０２は、並び替え部１１１、マッピング部１１２−１，１１２−２、多重部１１３−１，１１３−２、及び、スクランブル・P/S（パラレル／シリアル）変換部１１４−１，１１４−２を含むように構成される。
【００５１】
撮像素子１０１は、例えば、CMOSイメージセンサ、CCDイメージセンサ等により構成される。撮像素子１０１は、撮影の結果得られる23.98P-30Pの４ＫのRAWデータを信号処理部１０２の並び替え部１１１に供給する。また、撮像素子１０１は、信号処理部１０２の処理に必要なタイミング情報等を並び替え部１１１に供給する。
【００５２】
並び替え部１１１は、図７等を参照して後述するように、RAWデータの各画素データを上位８ビットと下位８ビットに分割するとともに、画素データの並び替えを行う。並び替え部１１１は、並び替えた後の上位８ビットの画素データのデータ列をマッピング部１１２−１に供給し、下位８ビットの画素データのデータ列をマッピング部１１２−２に供給する。
【００５３】
マッピング部１１２−１は、後述するように、並び替え部１１１から供給される画素データを多重した複数のデータストリームを生成し、多重部１１３−１に供給する。同様に、マッピング部１１２−２は、並び替え部１１１から供給される画素データを多重した複数のデータストリームを生成し、多重部１１３−２に供給する。
【００５４】
多重部１１３−１は、後述するように、マッピング部１１２−１から供給される複数のデータストリームを多重化することにより、3G-SDIのCh1のデータストリームを生成し、スクランブル・P/S変換部１１４−１に供給する。同様に、多重部１１３−２は、マッピング部１１２−２から供給される複数のデータストリームを多重化することにより、3G-SDIのCh2のデータストリームを生成し、スクランブル・P/S変換部１１４−２に供給する。
【００５５】
スクランブル・P/S変換部１１４−１は、後述するように、3G-SDIのCh1のデータストリームのスクランブル及びP/S（パラレル／シリアル）変換を行い、処理後のデータストリームを送信制御部１０３に供給する。同様に、スクランブル・P/S変換部１１４−２は、3G-SDIのCh2のデータストリームのスクランブル及びP/S変換を行い、処理後のデータストリームを送信制御部１０３に供給する。
【００５６】
送信制御部１０３は、3G-SDIのCh1及びCh2のデータストリームのCCU１２ａへの送信を制御する。
【００５７】
［CCU１２ａの回路構成例］
図５は、図１のCCU１２の第１の実施の形態であるCCU１２ａの一部の機能の構成例を示すブロック図である。
【００５８】
CCU１２ａは、受信制御部１５１、信号処理部１５２及び映像処理部１５３を含むように構成される。また、受信制御部１５１は、S/P（シリアル／パラレル）変換・デスクランブル部１６１−１，１６１−２、分離部１６２−１，１６２−２、及び、再生部１６３を含むように構成される。
【００５９】
受信制御部１５１は、各放送用カメラ１１ａからの3G-SDIのCh1及びCh2のデータストリームの受信を制御する。受信制御部１５１は、受信した3G-SDIのCh1のデータストリームをS/P変換・デスクランブル部１６１−１に供給し、3G-SDIのCh2のデータストリームをS/P変換・デスクランブル部１６１−２に供給する。
【００６０】
S/P変換・デスクランブル部１６１−１は、3G-SDIのCh1のデータストリームのS/P（シリアル／パラレル）変換及びデスクランブルを行い、処理後のデータストリームを分離部１６２−１に供給する。同様に、S/P変換・デスクランブル部１６１−２は、3G-SDIのCh2のデータストリームのS/P変換及びデスクランブルを行い、処理後のデータストリームを分離部１６２−２に供給する。
【００６１】
分離部１６２−１は、3G-SDIのCh1のデータストリームを複数のデータストリームに分離して再生部１６３に供給する。同様に、分離部１６２−２は、3G-SDIのCh2のデータストリームを複数のデータストリームに分離して再生部１６３に供給する。
【００６２】
再生部１６３は、分離部１６２−１及び分離部１６２−２から供給されるデータストリームから元のRAWデータを復元し、映像処理部１５３に供給する。また、再生部１６３は、映像処理部１５３の処理に必要なタイミング情報等を映像処理部１５３に供給する。
【００６３】
映像処理部１５３は、RAWデータに対する各種の処理を行う装置により構成され、再生部１６３から供給されるRAWデータに対して所定の処理を行う。例えば、映像処理部１５３は、RAWデータに基づく映像を表示するディスプレイ、RAWデータを記憶する記憶装置等により構成される。
【００６４】
［RAWデータ送信処理］
次に、図６のフローチャートを参照して、放送用カメラ１１ａにより実行されるRAWデータ送信処理について説明する。なお、この処理は１フレーム分のRAWデータを送信する場合の処理を示しており、複数フレームのRAWデータを送信する場合には、この処理が繰り返し実行される。
【００６５】
図２のRAWデータは、色毎のサンプル数の比が、Ｇ：Ｂ：Ｒ＝２：１：１であるため、4:2:2（YCbCr）の映像データと同様のデータ構造を有しているとみなすことができる。すなわち、RAWデータの１つのベイヤ配列単位が、4:2:2（YCbCr）の映像データの水平方向に隣接する２画素分と同様のデータ構造を有しているとみなすことができる。そして、ベイヤ配列単位で換算すると、図２のRAWデータは、2048サンプル×1080ラインの4:2:2（YCbCr）の映像データと同様のデータ構造を有しているとみなすことができる。
【００６６】
そこで、放送用カメラ１１ａは、RAWデータの画素をベイヤ配列単位で水平方向に１サンプルずつ交互に間引くことにより、２つのRAWデータに分離して送信する。これにより、2048サンプル×1080ラインの２Ｋの4:2:2（YCbCr）の映像データを２つ並行して送信する場合と同様の処理により、RAWデータを送信することができる。
【００６７】
ステップＳ１において、並び替え部１１１は、画素データの並び替えを行う。すなわち、並び替え部１１１は、RAWデータの画素データを、図７の左側に示されるデータ列に並べ替える。
【００６８】
具体的には、図７の１行目のデータ列は、RAWデータの左から右方向かつ上から下方向の順番（ラスタスキャン順）に従って、ベイヤ配列単位の偶数サンプルに含まれるＧｒサンプル及びＧｂサンプルの画素データの上位８ビット（ｂ１５−ｂ９）を、Ｇｒ、Ｇｂ、Ｇｒ、Ｇｂ・・・の順に並べたものである。
【００６９】
２行目のデータ列は、RAWデータの左から右方向かつ上から下方向の順番に従って、ベイヤ配列単位の偶数サンプルに含まれるＢサンプル及びＲサンプルの画素データの上位８ビットを、Ｂ、Ｒ、Ｂ、Ｒ・・・の順に並べたものである。
【００７０】
３行目のデータ列は、RAWデータの左から右方向かつ上から下方向の順番に従って、ベイヤ配列単位の奇数サンプルに含まれるＧｒサンプル及びＧｂサンプルの画素データの上位８ビットを、Ｇｒ、Ｇｂ、Ｇｒ、Ｇｂ・・・の順に並べたものである。
【００７１】
４行目のデータ列は、RAWデータの左から右方向かつ上から下方向の順番に従って、ベイヤ配列単位の奇数サンプルに含まれるＢサンプル及びＲサンプルの画素データの上位８ビットを、Ｂ、Ｒ、Ｂ、Ｒ・・・の順に並べたものである。
【００７２】
５行目のデータ列は、RAWデータの左から右方向かつ上から下方向の順番に従って、ベイヤ配列単位の偶数サンプルに含まれるＧｒサンプル及びＧｂサンプルの画素データの下位８ビットを、Ｇｒ、Ｇｂ、Ｇｒ、Ｇｂ・・・の順に並べたものである。
【００７３】
６行目のデータ列は、RAWデータの左から右方向かつ上から下方向の順番に従って、ベイヤ配列単位の偶数サンプルに含まれるＢサンプル及びＲサンプルの画素データの下位８ビットを、Ｂ、Ｒ、Ｂ、Ｒ・・・の順に並べたものである。
【００７４】
７行目のデータ列は、RAWデータの左から右方向かつ上から下方向の順番に従って、ベイヤ配列単位の奇数サンプルに含まれるＧｒサンプル及びＧｂサンプルの画素データの下位８ビットを、Ｇｒ、Ｇｂ、Ｇｒ、Ｇｂ・・・の順に並べたものである。
【００７５】
８行目のデータ列は、RAWデータの左から右方向かつ上から下方向の順番に従って、ベイヤ配列単位の奇数サンプルに含まれるＢサンプル及びＲサンプルの画素データの下位８ビットを、Ｂ、Ｒ、Ｂ、Ｒ・・・の順に並べたものである。
【００７６】
そして、並び替え部１１１は、図７の１行目から４行目までのデータ列をマッピング部１１２−１に供給し、５行目から８行目までのデータ列をマッピング部１１２−２に供給する。
【００７７】
ステップＳ２において、マッピング部１１２−１，１１２−２は、画素データのマッピングを行う。具体的には、マッピング部１１２−１は、図７の１行目の画素データを、図８の上側に示されるように、SMPTE 274M等に規定されるHD-SDIのＹチャネル（Ｙ信号）のデータストリーム（以下、Ｙチャネルデータストリームと称する）に多重する。すなわち、RAWデータのベイヤ配列単位の偶数サンプルに含まれるＧサンプルの画素データの上位８ビット（ｂ１５−ｂ８）のうち、上位６ビット（ｂ１５−ｂ１０）が、Ｙチャネルデータストリームの有効映像データ領域の上位６ビット（Ｂ９−Ｂ４）に多重される。また、RAWデータのベイヤ配列単位の偶数サンプルに含まれるＧサンプルの画素データの上位８ビット（ｂ１５−ｂ９）のうち、下位２ビット（ｂ９−ｂ８）が、Ｙチャネルデータストリームの有効映像データ領域の下位２ビット（Ｂ１−Ｂ０）に多重される。
【００７８】
また、マッピング部１１２−１は、図７の２行目の画素データを、図８の下側に示されるように、SMPTE 274M等に規定されるHD-SDIのＣｂ／Ｃｒチャネル（Ｃｂ／Ｃｒ信号）のデータストリーム（以下、Ｃチャネルデータストリームと称する）に多重する。すなわち、RAWデータのベイヤ配列単位の偶数サンプルに含まれるＢサンプル及びＲサンプルの画素データの上位８ビット（ｂ１５−ｂ８）のうち、上位６ビット（ｂ１５−ｂ１０）が、Ｃチャネルデータストリームの有効映像データ領域の上位６ビット（Ｂ９−Ｂ４）に多重される。また、RAWデータのベイヤ配列単位の偶数サンプルに含まれるＢサンプル及びＲサンプルの画素データの上位８ビット（ｂ１５−ｂ９）のうち、下位２ビット（ｂ９−ｂ８）が、Ｃチャネルデータストリームの有効映像データ領域の下位２ビット（Ｂ１−Ｂ０）に多重される。なお、Ｂサンプルの画素データは、ＣチャネルデータストリームのＣｂチャネルの領域に多重され、Ｒサンプルの画素データは、ＣチャネルデータストリームのＣｒチャネルの領域に多重される。
【００７９】
さらに、マッピング部１１２−１は、図７の３行目の画素データを、１行目の画素データと同様にして、Ｙチャネルデータストリームに多重する。また、マッピング部１１２−１は、図７の４行目の画素データを、２行目の画素データと同様にして、Ｃチャネルデータストリームに多重する。
【００８０】
マッピング部１１２−２は、図７の５行目の画素データを、図９の上側に示されるようにＹチャネルデータストリームに多重する。すなわち、RAWデータのベイヤ配列単位の偶数サンプルに含まれるＧサンプルの画素データの下位８ビット（ｂ７−ｂ０）のうち、上位６ビット（ｂ７−ｂ２）が、Ｙチャネルデータストリームの有効映像データ領域の上位６ビット（Ｂ９−Ｂ４）に多重される。また、RAWデータのベイヤ配列単位の偶数サンプルに含まれるＧサンプルの画素データの下位８ビット（ｂ７−ｂ０）のうち、下位２ビット（ｂ１−ｂ０）が、Ｙチャネルデータストリームの有効映像データ領域の下位２ビット（Ｂ１−Ｂ０）に多重される。なお、RAWデータの画素データが１６ビット未満である場合、有効映像データ領域のビットの中に画素データが多重されないビットが生じるが、そのビットには、任意の値を設定することができる。
【００８１】
また、マッピング部１１２−２は、図７の６行目の画素データを、図９の下側に示されるようにＣチャネルデータストリームに多重する。すなわち、RAWデータのベイヤ配列単位の偶数サンプルに含まれるＢサンプル及びＲサンプルの画素データの下位８ビット（ｂ７−ｂ０）のうち、上位６ビット（ｂ７−ｂ２）が、Ｃチャネルデータストリームの有効映像データ領域の上位６ビット（Ｂ９−Ｂ４）に多重される。また、RAWデータのベイヤ配列単位の偶数サンプルに含まれるＢサンプル及びＲサンプルの画素データの下位８ビット（ｂ７−ｂ０）のうち、下位２ビット（ｂ１−ｂ０）が、Ｃチャネルデータストリームの有効映像データ領域の下位２ビット（Ｂ１−Ｂ０）に多重される。なお、Ｂサンプルの画素データは、ＣチャネルデータストリームのＣｂチャネルの領域に多重され、Ｒサンプルの画素データは、ＣチャネルデータストリームのＣｒチャネルの領域に多重される。また、RAWデータの画素データが１６ビット未満である場合、有効映像データ領域のビットの中に画素データが多重されないビットが生じるが、そのビットには、任意の値を設定することができる。
【００８２】
さらに、マッピング部１１２−２は、図７の７行目の画素データを、５行目の画素データと同様にして、Ｙチャネルデータストリームに多重する。また、マッピング部１１２−２は、図７の８行目の画素データを、６行目の画素データと同様にして、Ｃチャネルデータストリームに多重する。
【００８３】
以上のようにして、RAWデータの画素データが、４つのＹチャネルデータストリーム及び４つのＣチャネルデータストリームに多重される。
【００８４】
また、マッピング部１１２−１及びマッピング部１１２−２は、各データストリームの有効映像データ領域及び水平補助データ領域（HANC）の画素データが多重されないＢ３，Ｂ２の２ビットに異なる値を設定する。例えば、図８及び図９に示されるように、Ｂ３＝１、Ｂ２＝０の固定値が設定される。或いは、Ｂ３＝０、Ｂ２＝１の固定値を設定したり、ワード毎に、Ｂ３＝１、Ｂ２＝０か、Ｂ３＝０、Ｂ２＝１のいずれかを可変で設定するようにしてもよい。
【００８５】
これにより、データストリームの有効映像データ領域及び水平補助データ領域に、HD-SDI及び3G-SDIで禁止されている０００ｈ乃至００３ｈ及び３ＦＣｈ乃至３ＦＦｈの禁止コードが設定されるのを防ぐことができる。すなわち、これらの禁止コードは、１０ビットのうちの上位８ビットが同じ値であるが、有効映像データ領域及び水平補助データ領域のＢ３，Ｂ２の２ビットに異なる値を設定することにより、上位８ビットに同じ値が設定されることが防止される。なお、ｈは１６進表現であることを示している。
【００８６】
なお、以下、図７の１行目、３行目、５行目、７行目の画素データが多重されたデータストリームを、Ｙチャネルデータストリーム１、２、３又は４と称する。また、以下、図７の２行目、４行目、６行目、８行目の画素データが多重されたデータストリームを、それぞれＣチャネルデータストリーム１、２、３又は４と称する。
【００８７】
ステップＳ３において、マッピング部１１２−１及びマッピング部１１２−２は、HD-SDI相当のデータストリームを生成する。具体的には、マッピング部１１２−１及びマッピング部１１２−２は、SMPTE 274、SMPTE 292-1、又は、SMPTE 424M／425-1の規定に従って、水平ブランキングデータ（H-Blank）、垂直ブランキングデータ（V-Blank）、SAV（Start of Active Video）、EAV（End of Active Video）、LN（Line Number）、CRCC（Cyclic Redundancy Check）を各データストリームに付加する。
【００８８】
また、マッピング部１１２−１は、Ｙチャネルデータストリーム１とＣチャネルデータストリーム１をワード単位でバイトインタリーブして多重化することにより、図１０の3G-SDIのCh1のリンクＡのデータストリームを生成する。このデータストリームは、HD-SDI相当のデータストリームであり、SMPTE 425-1の図５のリンクＡのデータストリームと同様のデータ構造を有している。また、このデータストリームは、RAWデータのベイヤ配列単位の偶数サンプルに含まれるＧｒ、Ｇｂ、Ｂ、Ｒの各サンプルの画素データの上位８ビットが多重されたものである。換言すれば、このデータストリームは、RAWデータのベイヤ配列単位の偶数サンプルを抽出することにより生成されるRAWデータの各画素データの上位８ビットが多重されたものである。
【００８９】
同様に、マッピング部１１２−１は、Ｙチャネルデータストリーム２とＣチャネルデータストリーム２をワード単位でバイトインタリーブして多重化することにより、図１０の3G-SDIのCh1のリンクＢのデータストリームを生成する。このデータストリームは、HD-SDI相当のデータストリームであり、SMPTE 425-1の図５のリンクＢのデータストリームと同様のデータ構造を有している。また、このデータストリームは、RAWデータのベイヤ配列単位の奇数サンプルに含まれるＧｒ、Ｇｂ、Ｂ、Ｒの各サンプルの画素データの上位８ビットが多重されたものである。換言すれば、このデータストリームは、RAWデータのベイヤ配列単位の奇数サンプルを抽出することにより生成されるRAWデータの各画素データの上位８ビットが多重されたものである。
【００９０】
このように、RAWデータのＧｒ、Ｇｂ、Ｂ、Ｒの各サンプルの画素データの上位８ビットが、画素（サンプル）単位（より正確にはベイヤ配列単位）で２つのデータストリームに分けて多重される。
【００９１】
また、マッピング部１１２−２は、Ｙチャネルデータストリーム３とＣチャネルデータストリーム３をワード単位でバイトインタリーブして多重化することにより、図１０の3G-SDIのCh2のリンクＡのデータストリームを生成する。このデータストリームは、HD-SDI相当のデータストリームであり、SMPTE 425-1の図５のリンクＡのデータストリームと同様のデータ構造を有している。また、このデータストリームは、RAWデータのベイヤ配列単位の偶数サンプルに含まれるＧｒ、Ｇｂ、Ｂ、Ｒの各サンプルの画素データの下位８ビットが多重されたものである。換言すれば、このデータストリームは、RAWデータのベイヤ配列単位の偶数サンプルを抽出することにより生成されるRAWデータの各画素データの下位８ビットが多重されたものである。
【００９２】
同様に、マッピング部１１２−２は、Ｙチャネルデータストリーム４とＣチャネルデータストリーム４をワード単位でバイトインタリーブして多重化することにより、図１０の3G-SDIのCh2のリンクＢのデータストリームを生成する。このデータストリームは、HD-SDI相当のデータストリームであり、SMPTE 425-1の図５のリンクＢのデータストリームと同様のデータ構造を有している。また、このデータストリームは、RAWデータのベイヤ配列単位の奇数サンプルに含まれるＧｒ、Ｇｂ、Ｂ、Ｒの各サンプルの画素データの下位８ビットが多重されたものである。このデータストリームは、RAWデータのベイヤ配列単位の奇数サンプルを抽出することにより生成されるRAWデータの各画素データの下位８ビットが多重されたものである。
【００９３】
このように、RAWデータのＧｒ、Ｇｂ、Ｂ、Ｒの各サンプルの画素データの下位８ビットが、画素（サンプル）単位（より正確にはベイヤ配列単位）で２つのデータストリームに分けて多重される。
【００９４】
そして、マッピング部１１２−１は、3G-SDIのCh1のリンクＡ及びリンクＢのデータストリームを多重部１１３−１に供給する。マッピング部１１２−２は、3G-SDIのCh2のリンクＡ及びリンクＢのデータストリームを多重部１１３−２に供給する。
【００９５】
ステップＳ４において、多重部１１３−１及び多重部１１３−２は、3G-SDIのデータストリームを生成する。具体的には、多重部１１３−１は、3G-SDIのCh1のリンクＡとリンクＢのデータストリームをワード単位でバイトインタリーブして多重化することにより、3G-SDIのCh1のデータストリームを生成する。このデータストリームは、RAWデータのＧｒ、Ｇｂ、Ｂ、Ｒの各サンプルの画素データの上位８ビットが多重されたものである。多重部１１３−１は、生成した3G-SDIのCh1のデータストリームをスクランブル・P/S変換部１１４−１に供給する。
【００９６】
多重部１１３−２は、3G-SDIのCh2のリンクＡとリンクＢのデータストリームをワード単位でバイトインタリーブして多重化することにより、3G-SDIのCh2のデータストリームを生成する。このデータストリームは、RAWデータのＧｒ、Ｇｂ、Ｂ、Ｒの各サンプルの画素データの下位８ビットが多重されたものである。多重部１１３−２は、生成した3G-SDIのCh2のデータストリームをスクランブル・P/S変換部１１４−２に供給する。
【００９７】
なお、3G-SDI（又はHD-SDI）のデータストリームの有効映像データ領域は、１９２０又は２０４８サンプルである。一方、上述したように、図２のRAWデータをベイヤ配列単位で水平方向に１サンプルずつ交互に間引いて、２つのRAWデータに分離することにより、分離後のRAWデータの１ライン当たりのＧサンプルのサンプル数、及び、ＢサンプルとＲサンプルの合計サンプル数は、ともに２０４８サンプルとなる。
【００９８】
従って、例えば、3G-SDI（又はHD-SDI）の２０４８サンプル分の有効映像データ領域に、分離後のRAWデータの全ての画素データを多重することが可能である。或いは、3G-SDI（又はHD-SDI）の１９２０サンプル分の有効映像データ領域に、分離後のRAWデータの全ての画素データを多重し、有効映像データ領域に多重できない２０４８−１９２０＝１２８サンプル分の画素データを水平補助データ領域に多重するようにしてもよい。また、RAWデータの水平ブランキング領域に補助データ等が多重されている場合、そのデータを水平補助データ領域に多重することも可能である。
【００９９】
ステップＳ５において、スクランブル・P/S変換部１１４−１及び１１４−２は、3G-SDIのデータストリームのスクランブル及びP/S変換を行う。具体的には、スクランブル・P/S変換部１１４−１は、SMPTE 424Mの規定と同様の方法により、3G-SDIのCh1のデータストリームのスクランブルを行う。さらに、スクランブル・P/S変換部１１４−１は、3G-SDIのCh1のデータストリームをP/S変換し、送信制御部１０３に供給する。
【０１００】
同様に、スクランブル・P/S変換部１１４−２は、SMPTE 424Mの規定と同様の方法により、3G-SDIのCh2のデータストリームのスクランブルを行う。さらに、スクランブル・P/S変換部１１４−２は、3G-SDIのCh2のデータストリームをP/S変換し、送信制御部１０３に供給する。
【０１０１】
ステップＳ６において、送信制御部１０３は、3G-SDIのデータストリームを送信する。すなわち、送信制御部１０３は、Ch1及びCh2の２チャネルの3G-SDIのシリアル系列のデータストリームを送信することにより、RAWデータをCCU１２ａに送信する。
【０１０２】
その後、信号送信処理は終了する。
【０１０３】
［RAWデータ受信処理］
次に、図１１のフローチャートを参照して、図６の放送用カメラ１１ａによるRAWデータ送信処理に対応して、CCU１２ａにより実行されるRAWデータ受信処理について説明する。
【０１０４】
ステップＳ５１において、受信制御部１５１は、3G-SDIのデータストリームを受信する。すなわち、受信制御部１５１は、放送用カメラ１１ａから送信されてきた3G-SDIのCh1及びCh2のデータストリームを受信する。受信制御部１５１は、Ch1のデータストリームをS/P変換・デスクランブル部１６１−１に供給し、Ch2のデータストリームをS/P変換・デスクランブル部１６１−２に供給する。
【０１０５】
ステップＳ５２において、S/P変換・デスクランブル部１６１−１及び１６１−２は、3G-SDIのデータストリームのS/P変換及びデスクランブルを行う。具体的には、S/P変換・デスクランブル部１６１−１は、放送用カメラ１１ａのスクランブル・P/S変換部１１４−１とは逆の処理により、Ch1のデータストリームのS/P変換及びデスクランブルを行う。S/P変換・デスクランブル部１６１−１は、処理後のCh1のデータストリームを分離部１６２−１に供給する。
【０１０６】
同様に、S/P変換・デスクランブル部１６１−２は、Ch2のデータストリームのS/P変換及びデスクランブルを行い、処理後のCh2のデータストリームを分離部１６２−２に供給する。
【０１０７】
ステップＳ５３において、分離部１６２−１及び１６２−２は、3G-SDIのデータストリームを分離する。具体的には、分離部１６２−１は、Ch1のデータストリームのワード同期検出を行い、さらにCh1のデータストリームを図１０のリンクＡとリンクＢに分離し、再生部１６３に供給する。同様に、分離部１６２−２は、Ch2のデータストリームを図１０のリンクＡとリンクＢに分離し、再生部１６３に供給する。
【０１０８】
ステップＳ５４において、再生部１６３は、RAWデータの再生を行う。具体的には、再生部１６３は、Ch1のデータストリームのリンクＡ及びリンクＢから、RAWデータのＧｒ、Ｇｂ、Ｂ、Ｒの各サンプルの画素データの上位８ビットを抽出する。また、再生部１６３は、Ch2のデータストリームのリンクＡ及びリンクＢから、RAWデータのＧｒ、Ｇｂ、Ｂ、Ｒの各サンプルの画素データの下位８ビットを抽出する。
【０１０９】
そして、再生部１６３は、抽出した各画素データの上位８ビット及び下位８ビットから、元の画素データを復元し、ベイヤ配列に従って並べ替えることにより、元のRAWデータを復元する。そして、再生部１６３は、復元したRAWデータを映像処理部１５３に供給する。
【０１１０】
なお、このとき、RAWデータと異なる形式の映像データに変換して、映像処理部１５３に供給するようにしてもよい。
【０１１１】
その後、RAWデータ受信処理は終了する。
【０１１２】
このようにして、3G-SDIのレベルＢの規定に従って、例えば、既存の3G-SDI用のICや装置を用いて、23.98P-30Pの４Ｋのベイヤ配列のRAWデータを伝送することができる。また、Ch1のデータストリームには、RAWデータの各画素データの上位８ビットが多重されている。従って、例えば、3G-SDI用の観測装置を用いて、Ch1のデータストリームによりRAWデータの映像を目で見て確認することができる。さらに、各データストリームに付加されているCRCCを用いて、3G-SDIの観測装置により伝送系のエラーをモニタすることができる。
【０１１３】
＜４．第１の実施の形態の変形例＞
以下、上述した第１の実施の形態の変形例について説明する。
【０１１４】
［RAWデータの多重方法の変形例］
RAWデータを3G-SDIのデータストリームの各チャネルに多重する方法は、上述した図７等に示す方法に限定されるものではなく、他の方法を採用することが可能である。
【０１１５】
例えば、図１２に示されるように、RAWデータを3G-SDIの各チャネルに多重するようにしてもよい。具体的には、図１２と図７を比較すると、Ｂ及びＲサンプルの画素データの多重方法は共通である一方、Ｇｒ及びＧｂサンプルの画素データの多重方法が異なっている。すなわち、Ｇｒサンプルの画素データの上位８ビットが、3G-SDIのCh1のリンクＡのデータストリームのＹチャネルに多重され、下位８ビットが、3G-SDIのCh2のリンクＡのデータストリームのＹチャネルに多重される。また、Ｇｂサンプルの画素データの上位８ビットが、3G-SDIのCh1のリンクＢのデータストリームのＹチャネルに多重され、下位８ビットが、3G-SDIのCh2のリンクＢのデータストリームのＹチャネルに多重される。
【０１１６】
また、図２のRAWデータは、Ｇｂ、Ｇｒ、Ｂ、Ｒの各サンプルの数が同じであり、ベイヤ配列単位に換算すると2048サンプル×1080ラインの映像データとみなすことができる。従って、図１３に示されるように、SMPTE 372の図３及び図４等に示される4:4:4:4（RGB+A）の映像データを3G-SDIのレベルＢにより伝送する場合の規定に従って、RAWデータを3G-SDIのデータストリームに多重して伝送することが可能である。
【０１１７】
具体的には、図７及び図１２の場合と同様に、RAWデータの各画素データの上位８ビットが3G-SDIのCh1のデータストリームに多重され、下位８ビットがCh2のデータストリームに多重される。また、この２チャネルのデータストリームは、SMPTE 372の図３及び図４の方法で、２チャネルのHDI-SDIのデータストリームのＹチャネル及びＣチャネルにＲＧＢＡを多重した場合の3G-SDIのレベルＢのフォーマットに従う。
【０１１８】
より具体的には、RAWデータのＧｒサンプルの画素データの上位８ビットが、3G-SDIのレベルＢのCh1のデータストリームのＧチャネルに多重され、下位８ビットが、3G-SDIのレベルＢのCh2のデータストリームのＧチャネルに多重される。
【０１１９】
RAWデータのＢサンプルの画素データの上位８ビットが、3G-SDIのレベルＢのCh1のデータストリームのＢチャネルに多重され、下位８ビットが、3G-SDIのレベルＢのCh2のデータストリームのＢチャネルに多重される。
【０１２０】
RAWデータのＲサンプルの画素データの上位８ビットが、3G-SDIのレベルＢのCh1のデータストリームのＲチャネルに多重され、下位８ビットが、3G-SDIのレベルＢのCh2のデータストリームのＲチャネルに多重される。
【０１２１】
RAWデータのＧｂサンプルの画素データの上位８ビットが、3G-SDIのレベルＢのCh1のデータストリームのＡ（Auxiliary）チャネルに多重され、下位８ビットが、3G-SDIのレベルＢのCh2のデータストリームのＡチャネルに多重される。
【０１２２】
なお、ＧｒサンプルとＧｂサンプルを多重するチャネルを逆にしてもよい。すなわち、Ｇｒサンプルの画素データを3G-SDIのレベルＢのデータストリームのＡチャネルに多重し、Ｇｂサンプルの画素データを3G-SDIのレベルＢのデータストリームのＧチャネルに多重するようにしてもよい。
【０１２３】
また、図１２及び図１３のいずれの場合においても、RAWデータの各画素データのビット多重の方法は、図８及び図９を参照して上述した方法と同様である。
【０１２４】
［HD-SDIを用いて伝送する場合］
以上の説明では、3G-SDIを用いてRAWデータを伝送する例を示したが、HD-SDIを用いて伝送することも可能である。具体的には、図１０の3G-SDIのCh1及びCh2のリンクＡ及びリンクＢのデータストリームは、それぞれHD-SDIのデータストリームと同様のデータ構造を有している。従って、各データストリームを個別にスクランブルし、P/S変換して伝送することにより、４チャネルのHD-SDIのデータストリームにより、23.98P-30Pの４ＫのRAWデータを伝送することが可能になる。
【０１２５】
この場合も、3G-SDIを用いた場合と同様に、例えば、既存のHD-SDI用のICや装置を用いて、23.98P-30Pの４Ｋのベイヤ配列のRAWデータを伝送することができる。また、HD-SDI用の観測装置を用いて、RAWデータの各画素データの上位８ビットが多重されているデータストリームによりRAWデータの映像を目で見て確認することができる。さらに、各データストリームに付加されているCRCCを用いて、HD-SDIの観測装置により伝送系のエラーをモニタすることができる。
【０１２６】
［RAWデータの画素データが８ビット以下の場合の伝送方法］
RAWデータの画素データが８ビット以下の場合、図７、図１２及び図１３の５行目から８行目までのデータ列を伝送する必要がなくなる。従って、１チャネルの3G-SDIのデータストリーム、又は、２チャネルのHD-SDIのデータストリームでRAWデータを伝送することが可能である。
【０１２７】
＜５．第２の実施の形態＞
次に、図１４乃至図２０を参照して、本技術の第２の実施の形態について説明する。本技術の第２の実施の形態は、SMPTE 372及びSMPTE 425-1に規定される3G-SDIのレベルＢの規定に従って、47.95P-60Pの４Ｋのベイヤ配列のRAWデータを４チャネルのデータストリームにより伝送できるようにするものである。
【０１２８】
［放送用カメラ１１ｂの回路構成例］
図１４は、図１の放送用カメラ１１の第２の実施の形態である放送用カメラ１１ｂの一部の機能の構成例を示すブロック図である。
【０１２９】
放送用カメラ１１ｂは、撮像素子２０１、信号処理部２０２及び送信制御部２０３を含むように構成される。また、信号処理部２０２は、分離部２１１、並び替え部２１２−１，２１２−２、マッピング部２１３−１乃至２１３−４、多重部２１４−１乃至２１４−４、及び、スクランブル・P/S変換部２１５−１乃至２１５−４を含むように構成される。
【０１３０】
撮像素子２０１は、例えば、CMOSイメージセンサ、CCDイメージセンサ等により構成される。撮像素子２０１は、撮影の結果得られる47.95P-60Pの４ＫのRAWデータを信号処理部２０２の分離部２１１に供給する。また、撮像素子２０１は、信号処理部２０２の処理に必要なタイミング情報等を分離部２１１に供給する。
【０１３１】
分離部２１１は、図１７を参照して後述するように、RAWデータをリンクＡとリンクＢの２チャネルの映像データに分離する。分離部２１１は、リンクＡの映像データを並び替え部２１２−１に供給し、リンクＢの映像データを並び替え部２１２−２に供給する。
【０１３２】
並び替え部２１２−１は、図４の放送用カメラ１１ａの並び替え部１１１と同様に、リンクＡの映像データの各画素データを上位８ビットと下位８ビットに分割するとともに、画素データの並び替えを行う。並び替え部２１２−１は、並び替えた後の上位８ビットの画素データのデータ列をマッピング部２１３−１に供給し、下位８ビットの画素データのデータ列をマッピング部２１３−２に供給する。
【０１３３】
同様に、並び替え部２１２−２は、リンクＢの映像データの各画素データを上位８ビットと下位８ビットに分割するとともに、画素データの並び替えを行う。並び替え部２１２−２は、並び替えた後の上位８ビットの画素データのデータ列をマッピング部２１３−３に供給し、下位８ビットの画素データのデータ列をマッピング部２１３−４に供給する。
【０１３４】
マッピング部２１３−１及び２１３−２は、図４の放送用カメラ１１ａのマッピング部１１２−１，１１２−２と同様に、それぞれ、並び替え部２１２−１から供給される画素データを多重した複数のデータストリームを生成する。そして、マッピング部２１３−１及び２１３−２は、それぞれ、生成した複数のデータストリームを多重部２１４−１及び２１４−２に供給する。同様に、マッピング部２１３−３及び２１３−４は、それぞれ、並び替え部２１２−２から供給される画素データを多重した複数のデータストリームを生成し、多重部２１４−３及び２１４−４に供給する。
【０１３５】
多重部２１４−１乃至２１４−４は、それぞれ、図４の放送用カメラ１１ａの多重部１１３−１，１１３−２と同様に、マッピング部２１３−１乃至２１３−４から供給される複数のデータストリームを多重化することにより、3G-SDIのCh1乃至Ch4のデータストリームを生成する。そして、多重部２１４−１乃至２１４−４は、それぞれ、生成した3G-SDIのCh1乃至Ch4のデータストリームをスクランブル・P/S変換部２１５−１乃至２１５−４に供給する。
【０１３６】
スクランブル・P/S変換部２１５−１乃至２１５−４は、それぞれ、図４の放送用カメラ１１ａのスクランブル・P/S変換部１１４−１，１１４−２と同様に、3G-SDIのCh1乃至Ch4のデータストリームのスクランブル及びP/S変換を行う。そして、スクランブル・P/S変換部２１５−１乃至２１５−４は、それぞれ、処理後のデータストリームを送信制御部２０３に供給する。
【０１３７】
送信制御部２０３は、3G-SDIのCh1乃至Ch4のデータストリームのCCU１２ｂへの送信を制御する。
【０１３８】
［CCU１２ｂの回路構成例］
図１５は、図１のCCU１２の第２の実施の形態であるCCU１２ｂの一部の機能の構成例を示すブロック図である。なお、図中、図５と対応する部分には、同じ符号を付してあり、処理が同じ部分については、その説明は適宜省略する。
【０１３９】
CCU１２ｂは、受信制御部２５１、信号処理部２５２及び映像処理部１５３を含むように構成される。また、信号処理部２５２は、S/P変換・デスクランブル部２６１−１乃至２６１−４、分離部２６２−１乃至２６１−４、及び、再生部２６３を含むように構成される。
【０１４０】
受信制御部２５１は、各放送用カメラ１１ｂからの3G-SDIのCh1乃至Ch4のデータストリームの受信を制御する。受信制御部２５１は、受信した3G-SDIのCh1乃至Ch4のデータストリームを、S/P変換・デスクランブル部２６１−１乃至２６１−４に供給する。
【０１４１】
S/P変換・デスクランブル部２６１−１乃至２６１−４は、それぞれ、3G-SDIのCh1乃至Ch4のデータストリームのS/P変換及びデスクランブルを行い、処理後のデータストリームを分離部２６２−１乃至２６２−４に供給する。
【０１４２】
分離部２６２−１乃至２６２−４は、それぞれ、3G-SDIのCh1乃至Ch4のデータストリームを複数のデータストリームに分離して再生部２６３に供給する。
【０１４３】
再生部２６３は、分離部２６２−１乃至分離部２６２−４から供給されるデータストリームから元のRAWデータを復元し、映像処理部１５３に供給する。また、再生部２６３は、映像処理部１５３の処理に必要なタイミング情報等を映像処理部１５３に供給する。
【０１４４】
［RAWデータ送信処理］
次に、図１６のフローチャートを参照して、放送用カメラ１１ｂにより実行されるRAWデータ送信処理について説明する。なお、この処理は２フレーム分のRAWデータを送信する場合の処理を示しており、３フレーム以上のRAWデータを送信する場合には、この処理が繰り返し実行される。
【０１４５】
ステップＳ１０１において、分離部２１１は、RAWデータを２チャネルの映像データに分離する。
【０１４６】
この第２の実施の形態のRAWデータのフレームレートは、第１の実施の形態のRAWデータのフレームレートの２倍である。そこで、分離部２１１は、SMPTE 372の図２の規定に従って、図１７に示されるように、水平ブランキング領域を含めてRAWデータのベイヤ配列単位の水平方向のラインを交互に間引くことにより、RAWデータを23.98P-30P（47.95I-60I）相当の２チャネルの映像データに分離する。
【０１４７】
具体的には、図１７に示されるように、RAWデータを２フレーム単位でリンクＡとリンクＢの２チャネルの映像データに分離する。なお、リンクＡとリンクＢの中に示されている番号は、RAWデータの水平ブランキング領域を含めたベイヤ配列単位のライン番号を示している。なお、例えば、図２のRAWデータのいちばん上のラインと次のラインを合わせたラインが、ベイヤ配列単位では１ラインに換算される。
【０１４８】
例えば、RAWデータのフレームｉとフレームｉ＋１の連続するフレームをリンクＡとリンクＢの２チャネルの映像データに分離する場合について説明する。
【０１４９】
リンクＡの１ラインから５６２ラインまでの範囲には、RAWデータのフレームｉのベイヤ配列単位の偶数ラインが割り当てられる。そのうち、１ラインから２０ラインまで、及び、５６１ラインから５６２ラインまでの範囲には、図２では図示していないRAWデータのフレームｉの水平ブランキング領域内のベイヤ配列単位の偶数ラインが割り当てられる。２１ラインから５６０ラインまでの範囲には、RAWデータのフレームｉの有効映像データ領域内のベイヤ配列単位の偶数ラインが割り当てられる。
【０１５０】
また、リンクＡの５６３ラインから１１２５ラインまでの範囲には、RAWデータのフレームｉ＋１のベイヤ配列単位の奇数ラインが割り当てられる。そのうち、５６３ラインから５８３ラインまで、及び、１１２４ラインから１１２５ラインまでの範囲には、図２では図示していないRAWデータのフレームｉ＋１の水平ブランキング領域内のベイヤ配列単位の奇数ラインが割り当てられる。５８４ラインから１１２３ラインまでの範囲には、RAWデータのフレームｉ＋１の有効映像データ領域内のベイヤ配列単位の奇数ラインが割り当てられる。
【０１５１】
一方、リンクＢの１ラインから５６２ラインまでの範囲には、RAWデータのフレームｉのベイヤ配列単位の奇数ラインが割り当てられる。そのうち、１ラインから２０ラインまで、及び、５６１ラインから５６２ラインまでの範囲には、図２では図示していないRAWデータのフレームｉの水平ブランキング領域内のベイヤ配列単位の奇数ラインが割り当てられる。２１ラインから５６０ラインまでの範囲には、RAWデータのフレームｉの有効映像データ領域内のベイヤ配列単位の奇数ラインが割り当てられる。
【０１５２】
また、リンクＢの５６３ラインから１１２４ラインまでの範囲には、RAWデータのフレームｉ＋１のベイヤ配列単位の偶数ラインが割り当てられる。そのうち、５６３ラインから５８２ラインまで、及び、１１２３ラインから１１２４ラインまでの範囲には、図１では図示していないRAWデータのフレームｉ＋１の水平ブランキング領域内のベイヤ配列単位の偶数ラインが割り当てられる。５８３ラインから１１２２ラインまでの範囲には、RAWデータのフレームｉ＋１の有効映像データ領域内のベイヤ配列単位の偶数ラインが割り当てられる。なお、リンクＢの１１２５ラインには、RAWデータのフレームｉ＋２のベイヤ配列単位の１ライン目が割り当てられる。
【０１５３】
このようにして、RAWデータが、２フレーム単位でリンクＡとリンクＢの２チャネルの映像データに分離される。そして、分離部２１１は、リンクＡの映像データを並び替え部２１２−１に供給し、リンクＢの映像データを並び替え部２１２−２に供給する。
【０１５４】
そして、ステップＳ１０２乃至Ｓ１０４において、リンクＡ及びリンクＢの各映像データに対して、図６のステップＳ１乃至Ｓ３と同様の処理が行われる。その結果、リンクＡの映像データから、図１８に示されるCh1及びCh2のリンクＡとリンクＢの４つのHD-SDI相当のデータストリームが生成される。また、リンクＢの映像データから、図１９に示される3G-SDIのCh3及びCh4のリンクＡとリンクＢの４つのHD-SDI相当のデータストリームが生成される。
【０１５５】
Ch1のリンクＡのデータストリームは、図１７のリンクＡの映像データのベイヤ配列単位の偶数サンプルに含まれるＧｒ、Ｇｂ、Ｂ、Ｒの各サンプルの画素データの上位８ビットが多重されたものである。換言すれば、このデータストリームは、リンクＡの映像データのベイヤ配列単位の偶数サンプルを抽出することにより生成される映像データの各画素データの上位８ビットが多重されたものである。
【０１５６】
Ch1のリンクＢのデータストリームは、図１７のリンクＡの映像データのベイヤ配列単位の奇数サンプルに含まれるＧｒ、Ｇｂ、Ｂ、Ｒの各サンプルの画素データの上位８ビットが多重されたものである。換言すれば、このデータストリームは、リンクＡの映像データのベイヤ配列単位の奇数サンプルを抽出することにより生成される映像データの各画素データの上位８ビットが多重されたものである。
【０１５７】
Ch2のリンクＡのデータストリームは、図１７のリンクＡの映像データのベイヤ配列単位の偶数サンプルに含まれるＧｒ、Ｇｂ、Ｂ、Ｒの各サンプルの画素データの下位８ビットが多重されたものである。換言すれば、このデータストリームは、リンクＡの映像データのベイヤ配列単位の偶数サンプルを抽出することにより生成される映像データの各画素データの下位８ビットが多重されたものである。
【０１５８】
Ch2のリンクＢのデータストリームは、図１７のリンクＡの映像データのベイヤ配列単位の奇数サンプルに含まれるＧｒ、Ｇｂ、Ｂ、Ｒの各サンプルの画素データの下位８ビットが多重されたものである。換言すれば、このデータストリームは、リンクＡの映像データのベイヤ配列単位の奇数サンプルを抽出することにより生成される映像データの各画素データの下位８ビットが多重されたものである。
【０１５９】
Ch3のリンクＡのデータストリームは、図１７のリンクＢの映像データのベイヤ配列単位の偶数サンプルに含まれるＧｒ、Ｇｂ、Ｂ、Ｒの各サンプルの画素データの上位８ビットが多重されたものである。換言すれば、このデータストリームは、リンクＢの映像データのベイヤ配列単位の偶数サンプルを抽出することにより生成される映像データの各画素データの上位８ビットが多重されたものである。
【０１６０】
Ch3のリンクＢのデータストリームは、図１７のリンクＢの映像データのベイヤ配列単位の奇数サンプルに含まれるＧｒ、Ｇｂ、Ｂ、Ｒの各サンプルの画素データの上位８ビットが多重されたものである。換言すれば、このデータストリームは、リンクＢの映像データのベイヤ配列単位の奇数サンプルを抽出することにより生成される映像データの各画素データの上位８ビットが多重されたものである。
【０１６１】
Ch4のリンクＡのデータストリームは、図１７のリンクＢの映像データのベイヤ配列単位の偶数サンプルに含まれるＧｒ、Ｇｂ、Ｂ、Ｒの各サンプルの画素データの下位８ビットが多重されたものである。換言すれば、このデータストリームは、リンクＢの映像データのベイヤ配列単位の偶数サンプルを抽出することにより生成される映像データの各画素データの下位８ビットが多重されたものである。
【０１６２】
Ch4のリンクＢのデータストリームは、図１７のリンクＢの映像データのベイヤ配列単位の奇数サンプルに含まれるＧｒ、Ｇｂ、Ｂ、Ｒの各サンプルの画素データの下位８ビットが多重されたものである。換言すれば、このデータストリームは、リンクＢの映像データのベイヤ配列単位の奇数サンプルを抽出することにより生成される映像データの各画素データの下位８ビットが多重されたものである。
【０１６３】
なお、各画素データの各ビットは、図９を参照して上述した方法により、各データストリームに多重される。
【０１６４】
ステップＳ１０５において、多重部２１４−１乃至２１４−４は、3G-SDIのデータストリームを生成する。具体的には、多重部２１４−１は、図１８の3G-SDIのCh1のリンクＡとリンクＢのデータストリームをワード単位でバイトインタリーブして多重化することにより、3G-SDIのCh1のデータストリームを生成する。このデータストリームは、図１７のリンクＡの映像データのＧｒ、Ｇｂ、Ｂ、Ｒの各サンプルの画素データの上位８ビットが多重されたものである。多重部２１４−１は、生成した3G-SDIのCh1のデータストリームをスクランブル・P/S変換部２１５−１に供給する。
【０１６５】
多重部２１４−２は、図１８の3G-SDIのCh2のリンクＡとリンクＢのデータストリームをワード単位でバイトインタリーブして多重化することにより、3G-SDIのCh2のデータストリームを生成する。このデータストリームは、図１７のリンクＡの映像データのＧｒ、Ｇｂ、Ｂ、Ｒの各サンプルの画素データの下位８ビットが多重されたものである。多重部２１４−２は、生成した3G-SDIのCh2のデータストリームをスクランブル・P/S変換部２１５−２に供給する。
【０１６６】
多重部２１４−３は、図１９の3G-SDIのCh3のリンクＡとリンクＢのデータストリームをワード単位でバイトインタリーブして多重化することにより、3G-SDIのCh3のデータストリームを生成する。このデータストリームは、図１７のリンクＢの映像データのＧｒ、Ｇｂ、Ｂ、Ｒの各サンプルの画素データの上位８ビットが多重されたものである。多重部２１４−３は、生成した3G-SDIのCh3のデータストリームをスクランブル・P/S変換部２１５−３に供給する。
【０１６７】
多重部２１４−４は、図１９の3G-SDIのCh4のリンクＡとリンクＢのデータストリームをワード単位でバイトインタリーブして多重化することにより、3G-SDIのCh4のデータストリームを生成する。このデータストリームは、図１７のリンクＢの映像データのＧｒ、Ｇｂ、Ｂ、Ｒの各サンプルの画素データの下位８ビットが多重されたものである。多重部２１４−４は、生成した3G-SDIのCh4のデータストリームをスクランブル・P/S変換部２１５−４に供給する。
【０１６８】
ステップＳ１０６において、スクランブル・P/S変換部２１５−１乃至２１５−４は、3G-SDIのデータストリームのスクランブル及びP/S変換を行う。すなわち、スクランブル・P/S変換部２１５−１乃至２１５−４は、図６のステップＳ５の処理と同様に、3G-SDIのCh1乃至Ch4のデータストリームのスクランブル及びP/S変換をそれぞれ行う。スクランブル・P/S変換部２１５−１乃至２１５−４は、処理後の3G-SDIのCh1乃至Ch4のデータストリームを送信制御部２０３に供給する。
【０１６９】
ステップＳ１０７において、送信制御部２０３は、3G-SDIのデータストリームを送信する。すなわち、送信制御部２０３は、Ch1乃至Ch4の４チャネルの3G-SDIのシリアル系列のデータストリームを送信することにより、RAWデータをCCU１２ｂに送信する。
【０１７０】
その後、RAWデータ送信処理は終了する。
【０１７１】
［RAWデータ受信処理］
次に、図２０のフローチャートを参照して、図１６の放送用カメラ１１ｂによるRAWデータ送信処理に対応して、CCU１２ｂにより実行されるRAWデータ受信処理について説明する。
【０１７２】
ステップＳ１５１において、受信制御部２５１は、3G-SDIのデータストリームを受信する。すなわち、受信制御部２５１は、放送用カメラ１１ｂから送信されてきた3G-SDIのCh1乃至Ch4のデータストリームを受信する。受信制御部２５１は、Ch1乃至Ch4のデータストリームをそれぞれS/P変換・デスクランブル部２６１−１乃至２６１−４に供給する。
【０１７３】
ステップＳ１５２において、S/P変換・デスクランブル部２６１−１乃至２６１−４は、3G-SDIのデータストリームのS/P変換及びデスクランブルを行う。具体的には、S/P変換・デスクランブル部２６１−１乃至２６１−４は、図１１のステップＳ５１と同様の処理により、それぞれCh1乃至Ch4のデータストリームのS/P変換及びデスクランブルを行う。そして、S/P変換・デスクランブル部２６１−１乃至２６１−４は、処理後のCh1乃至Ch4のデータストリームを分離部２６２−１乃至２６２−４に供給する。
【０１７４】
ステップＳ１５３において、分離部２６２−１乃至２６２−４は、3G-SDIのデータストリームを分離する。具体的には、分離部２６２−１は、Ch1のデータストリームのワード同期検出を行い、さらにCh1のデータストリームを図１８のリンクＡとリンクＢに分離し、再生部２６３に供給する。分離部２６２−２乃至２６２−４も同様に、それぞれCh2乃至Ch4のデータストリームを図１８又は図１９のリンクＡとリンクＢに分離し、再生部２６３に供給する。
【０１７５】
ステップＳ１５４において、再生部２６３は、RAWデータの再生を行う。具体的には、再生部２６３は、Ch1及びCh3のリンクＡ及びリンクＢのデータストリームから、RAWデータのＧｒ、Ｇｂ、Ｂ、Ｒの各サンプルの画素データの上位８ビットを抽出する。また、再生部２６３は、Ch2及びCh4のリンクＡ及びリンクＢのデータストリームから、RAWデータのＧｒ、Ｇｂ、Ｂ、Ｒの各サンプルの画素データの下位８ビットを抽出する。
【０１７６】
そして、再生部２６３は、抽出した各画素データの上位８ビット及び下位８ビットから、元の画素データを復元し、ベイヤ配列に従って並べ替えることにより、元の２フレーム分のRAWデータを復元する。そして、再生部２６３は、復元したRAWデータを映像処理部１５３に供給する。
【０１７７】
なお、このとき、RAWデータと異なる形式の映像データに変換して、映像処理部１５３に供給するようにしてもよい。
【０１７８】
その後、RAWデータ受信処理は終了する。
【０１７９】
このようにして、3G-SDIのレベルＢの規定に従って、例えば、既存の3G-SDI用のICや装置を用いて、47.95P-60Pの４Ｋのベイヤ配列のRAWデータを伝送することができる。また、Ch1及びCh3のデータストリームには、RAWデータの各画素データの上位８ビットが多重されている。従って、例えば、3G-SDI用の観測装置を用いて、Ch1又はCh3のデータストリームによりRAWデータの映像を目で見て確認することができる。さらに、各データストリームに付加されているCRCCを用いて、3G-SDIの観測装置により伝送系のエラーをモニタすることができる。
【０１８０】
＜６．第２の実施の形態の変形例＞
以下、上述した第２の実施の形態の変形例について説明する。
【０１８１】
［RAWデータの多重方法の変形例］
第１の実施の形態と同様に、RAWデータの各サンプルの画素データを3G-SDIの各チャネルに多重する方法として、図７、図１２又は図１３に示される方法を適用することができる。
【０１８２】
［HD-SDIを用いて伝送する場合］
以上の説明では、3G-SDIを用いてRAWデータを伝送する例を示したが、HD-SDIを用いて伝送することも可能である。具体的には、図１８及び図１９の3G-SDIのCh1乃至Ch4のリンクＡ及びリンクＢのデータストリームは、それぞれHD-SDIのデータストリームと同様のデータ構造を有している。従って、各データストリームを個別にスクランブルし、P/S変換して伝送することにより、８チャネルのHD-SDIのデータストリームにより、47.95P-60Pの４ＫのRAWデータを伝送することが可能になる。
【０１８３】
この場合も、3G-SDIを用いた場合と同様に、例えば、既存のHD-SDI用のICや装置を用いて、47.95P-60Pの４Ｋのベイヤ配列のRAWデータを伝送することができる。また、HD-SDI用の観測装置を用いて、RAWデータの各画素データの上位８ビットが多重されているデータストリームによりRAWデータの映像を目で見て確認することができる。さらに、各データストリームに付加されているCRCCを用いて、HD-SDIの観測装置により伝送系のエラーをモニタすることができる。
【０１８４】
［RAWデータの画素データが８ビット以下の場合の伝送方法］
RAWデータの画素データが８ビット以下の場合、図７、図１２及び図１３の５行目から８行目までのデータ列を伝送する必要がなくなる。従って、２チャネルの3G-SDIのデータストリーム、又は、４チャネルのHD-SDIのデータストリームでRAWデータを伝送することが可能である。
【０１８５】
＜７．第３の実施の形態＞
次に、図２１乃至図３１を参照して、本技術の第３の実施の形態について説明する。本技術の第３の実施の形態は、ベイヤ配列のRAWデータを10.692Gbpsシリアルデジタルインターフェース（以下、10G-SDIとも称する）を用いて伝送できるようにするものである。
【０１８６】
［放送用カメラ１１ｃの回路構成例］
図２１は、図１の放送用カメラ１１の第３の実施の形態である放送用カメラ１１ｃの一部の機能の構成例を示すブロック図である。なお、図中、図１４と対応する部分には同じ符号を付してあり、処理が同じ部分については、その説明は繰り返しになるため適宜省略する。
【０１８７】
放送用カメラ１１ｃは、撮像素子２０１、信号処理部２０２、信号処理部３０１及び送信制御部３０２を含むように構成される。
【０１８８】
信号処理部３０１は、信号処理部２０２から供給される3G-SDIのCh1乃至Ch4のデータストリームから10G-SDIのデータストリームを生成して、生成した10G-SDIのデータストリームを送信制御部３０２に供給する。
【０１８９】
送信制御部３０２は、10G-SDIのデータストリームのCCU１２ｃへの送信を制御する。
【０１９０】
［信号処理部３０１の構成例］
図２２は、信号処理部３０１の構成例を示すブロック図である。信号処理部３０１は、データ処理部３２１−１乃至３２１−４、多重部３２２、及び、P/S変換部３２３を含むように構成される。また、データ処理部３２１−ｉ（ｉ＝１，２，３，４）は、S/P変換・デスクランブル部３３１−ｉ、分離部３３２−ｉ、RAM３３３ａ−ｉ，３３３ｂ−ｉ、8B/10Bエンコーダ３３４−ｉ、及び、スクランブラ３３５−ｉを含むように構成される。さらに、データ処理部３２１−１は、8B/10Bエンコーダ３３４−５を含む。
【０１９１】
S/P変換・デスクランブル部３３１−１乃至３３１−４は、それぞれ、信号処理部２０２から供給される3G-SDIのCh1乃至Ch4のデータストリームのS/P変換及びデスクランブルを行う。そして、S/P変換・デスクランブル部３３１−１乃至３３１−４は、それぞれ、処理後の3G-SDIのCh1乃至Ch4のデータストリームを分離部３３２−１乃至３３２−４に供給する。
【０１９２】
分離部３３２−１乃至３３２−４は、それぞれ、Ch1乃至Ch4のデータストリームを図１８又は図１９のリンクＡ及びリンクＢの２チャネルのデータストリームに分離する。そして、分離部３３２−１乃至３３２−４は、それぞれ、3G-SDIのCh1乃至Ch4のリンクＡのデータストリームをRAM３３３ａ−１乃至３３３ａ−４に記憶させる。また、分離部３３２−１乃至３３２−４は、それぞれ、3G-SDIのCh1乃至Ch4のリンクＢのデータストリームをRAM３３３ｂ−１乃至３３３ｂ−４に記憶させる。
【０１９３】
8B/10Bエンコーダ３３４−１乃至３３４−４は、後述するように、それぞれ、RAM３３３ａ−１乃至３３３ａ−４に記憶されている3G-SDIのCh1乃至Ch4のリンクＡのデータストリームを所定の単位ごとに8B/10B（８ビット／１０ビット）変換する。そして、8B/10Bエンコーダ３３４−１乃至３３４−４は、それぞれ、処理の結果得られたデータブロックを多重部３２２に供給する。
【０１９４】
8B/10Bエンコーダ３３４−５は、後述するように、RAM３３３ｂ−１に記憶されている3G-SDIのCh1のリンクＢのデータストリームの一部を所定の単位ごとに8B/10B変換し、処理の結果得られたデータブロックを多重部３２２に供給する。
【０１９５】
スクランブラ３３５−１乃至３３５−４は、後述するように、それぞれ、RAM３３３ｂ−１乃至３３３ｂ−４に記憶されている3G-SDIのCh1乃至Ch4のリンクＢのデータストリームの一部を所定の単位ごとにスクランブルする。そして、スクランブラ３３５−１乃至３３５−４は、それぞれ、処理の結果得られたデータブロックを多重部３２２に供給する。
【０１９６】
多重部３２２は、後述するように、8B/10Bエンコーダ３３４−１乃至３３４−５及びスクランブラ３３５−１乃至３３５−４から供給されるデータブロックを多重化することにより、10G-SDIのデータストリームを生成する。多重部３２２は、生成した10G-SDIのデータストリームをP/S変換部３２３に供給する。
【０１９７】
P/S変換部３２３は、10G-SDIのデータストリームをP/S変換して、送信制御部３０２に供給する。
【０１９８】
なお、信号処理部３０１のRAM３３３ａ−１乃至３３３ａ−４及びRAM３３３ｂ−１乃至３３３ｂ−４より前の部分は、148.5MHzのクロック信号に同期して動作する。一方、信号処理部３０１のRAM３３３ａ−１乃至３３３ａ−４及びRAM３３３ｂ−１乃至３３３ｂ−４より後の部分は、133.65MHzのクロック信号に同期して動作する。
【０１９９】
また、以下、データ処理部３２１−１乃至３２１−４を個々に区別する必要がない場合、単に、データ処理部３２１と称する。さらに、以下、S/P変換・デスクランブル部３３１−１乃至３３１−４、分離部３３２−１乃至３３２−２、RAM３３３ａ−１乃至３３３ａ−４、RAM３３３ｂ−１乃至３３３ｂ−４、8B/10Bエンコーダ３３４−１乃至３３４−５、及び、スクランブラ３３５−１乃至３３５−４を個々に区別する必要がない場合、それぞれ、単にS/P変換・デスクランブル部３３１、分離部３３２、RAM３３３ａ、RAM３３３ｂ、8B/10Bエンコーダ３３４、及び、スクランブラ３３５と称する。
【０２００】
［CCU１２ｃの回路構成例］
図２３は、図１のCCU１２の第３の実施の形態であるCCU１２ｃの一部の機能の構成例を示すブロック図である。なお、図中、図１５と対応する部分には同じ符号を付してあり、処理が同じ部分については、その説明は繰り返しになるため適宜省略する。
【０２０１】
CCU１２ｃは、受信制御部３５１、信号処理部３５２、信号処理部２５２、及び、映像処理部１５３を含むように構成される。
【０２０２】
受信制御部３５１は、各放送用カメラ１１ｃからの10G-SDIのデータストリームの受信を制御する。受信制御部３５１は、受信した10G-SDIのデータストリームを信号処理部３５２に供給する。
【０２０３】
信号処理部３５２は、10G-SDIのデータストリームを3G-SDIのCh1乃至Ch4のデータストリームに分離し、信号処理部２５２に供給する。
【０２０４】
［信号処理部３５２の構成例］
図２４は、信号処理部３５２の構成例を示すブロック図である。信号処理部３５２は、S/P変換部３７１、分離部３７２、及び、データ処理部３７３−１乃至３７３−４を含むように構成される。また、データ処理部３７３−ｉ（ｉ＝１，２，３，４）は、8B/10Bデコーダ３８１−ｉ、デスクランブラ３８２−ｉ、RAM３８３ａ−ｉ，３８３ｂ−ｉ、多重部３８４−ｉ、及び、スクランブル・P/S変換部３８５−ｉを含むように構成される。さらに、データ処理部３７３−１は、8B/10Bデコーダ３８１−５を含む。
【０２０５】
S/P変換部３７１は、10G-SDIのデータストリームをS/P変換して、分離部３７２に供給する。
【０２０６】
分離部３７２は、図２２の信号処理部３０１の多重部３２２と逆の処理により、10G-SDIのデータストリームを所定のデータブロックに分離する。そして、分離部３７２は、分離後のデータブロックを、8B/10Bデコーダ３８１−１乃至３８１−５及びデスクランブラ３８２−１乃至３８２−４に供給する。
【０２０７】
8B/10Bデコーダ３８１−１乃至３８１−４は、後述するように、それぞれ、分離部３７２から供給されるデータブロックを１０ビット／８ビット（10B/8B）変換し、RAM３８３ａ−１乃至３８３ａ−４に記憶させる。
【０２０８】
8B/10Bデコーダ３８１−５は、後述するように、分離部３７２から供給されるデータブロックを10B/8B変換し、RAM３８３ｂ−１に記憶させる。
【０２０９】
デスクランブラ３８２−１乃至３８２−４は、後述するように、それぞれ、分離部３７２から供給されるデータブロックをデスクランブルし、RAM３８３ｂ−１乃至３８３ｂ−４に記憶させる。
【０２１０】
多重部３８４−１乃至３８４−４は、後述するように、それぞれ、RAM３８３ａ−１乃至３８３ａ−４及びRAM３８３ｂ−１乃至３８３ｂ−４に記憶されているデータブロックを用いて、3G-SDIのCh1乃至Ch4のデータストリームを生成する。そして、多重部３８４−１乃至３８４−４は、それぞれ、生成した3G-SDIのCh1乃至Ch4のデータストリームをスクランブル・P/S変換部３８５−１乃至３８５−４に供給する。
【０２１１】
スクランブル・P/S変換部３８５−１乃至３８５−４は、それぞれ、3G-SDIのCh1乃至Ch4のデータストリームのスクランブル及びP/S変換を行う。そして、スクランブル・P/S変換部３８５−１乃至３８５−４は、それぞれ、処理後の3G-SDIのCh1乃至Ch4のデータストリームを信号処理部２５２に供給する。
【０２１２】
なお、信号処理部３５２のRAM３８３ａ−１乃至３８３ａ−４及びRAM３８３ｂ−１乃至３８３ｂ−４より前の部分は、133.65MHzのクロック信号に同期して動作する。一方、信号処理部３５２のRAM３８３ａ−１乃至３８３ａ−４及びRAM３８３ｂ−１乃至３８３ｂ−４より後の部分は、148.5MHzのクロック信号に同期して動作する。
【０２１３】
また、以下、データ処理部３７３−１乃至３７３−４を個々に区別する必要がない場合、単に、データ処理部３７３と称する。さらに、以下、8B/10Bデコーダ３８１−１乃至３８１−５、デスクランブラ３８２−１乃至３８２−４、RAM３８３ａ−１乃至３８３ａ−４、RAM３８３ｂ−１乃至３８３ｂ−４、多重部３８４−１乃至３８４−４、及び、スクランブル・P/S変換部３８５−１乃至３８５−４を個々に区別する必要がない場合、単に、8B/10Bデコーダ３８１、デスクランブラ３８２、RAM３８３ａ、RAM３８３ｂ、多重部３８４、及び、スクランブル・P/S変換部３８５と称する。
【０２１４】
［RAWデータ送信処理］
次に、図２５のフローチャートを参照して、放送用カメラ１１ｃにより実行されるRAWデータ送信処理について説明する。なお、この処理は２フレーム分のRAWデータを送信する場合の処理を示しており、３フレーム以上のRAWデータを送信する場合には、この処理が繰り返し実行される。
【０２１５】
ステップＳ２０１乃至Ｓ２０６において、図１６のステップＳ１０１乃至Ｓ１０６と同様の処理が実行される。これにより、RAWデータが3G-SDIのCh1乃至Ch4のデータストリームに多重され、各チャネルのデータストリームが信号処理部３０１のS/P変換・デスクランブル部３３１−１乃至３３１−４に供給される。
【０２１６】
ステップＳ２０７において、S/P変換・デスクランブル部３３１−１乃至３３１−４は、図２０のステップＳ１５２と同様の処理により、3G-SDIのCh1乃至Ch4のデータストリームのS/P変換及びデスクランブルをそれぞれ行う。S/P変換・デスクランブル部３３１−１乃至３３１−４は、処理後のCh1乃至Ch4のデータストリームをそれぞれ分離部３３２−１乃至３３２−４に供給する。
【０２１７】
ステップＳ２０８において、分離部３３２−１乃至３３２−４は、図２０のステップＳ１５３と同様の処理により、3G-SDIのCh1乃至Ch4のデータストリームを図１８及び図１９に示されるリンクＡとリンクＢのデータストリームに分離する。そして、Ch1乃至Ch4のリンクＡのデータストリームは、RAM３３３ａ−１に記憶され、Ch1乃至Ch4のリンクＢのデータストリームは、RAM３３３ｂ−１に記憶される。
【０２１８】
なお、以下、3G-SDIのCh1のリンクＡのデータストリームを（HD-SDIの）Ch1のデータストリームとも称し、3G-SDIのCh1のリンクＢのデータストリームを（HD-SDIの）Ch2のデータストリームとも称する。また、以下、3G-SDIのCh2のリンクＡのデータストリームを（HD-SDIの）Ch3のデータストリームとも称し、3G-SDIのCh2のリンクＢのデータストリームを（HD-SDIの）Ch4のデータストリームとも称する。さらに、以下、3G-SDIのCh3のリンクＡのデータストリームを（HD-SDIの）Ch5のデータストリームとも称し、3G-SDIのCh3のリンクＢのデータストリームを（HD-SDIの）Ch6のデータストリームとも称する。また、以下、3G-SDIのCh4のリンクＡのデータストリームを（HD-SDIの）Ch7のデータストリームとも称し、3G-SDIのCh4のリンクＢのデータストリームを（HD-SDIの）Ch8のデータストリームとも称する。
【０２１９】
ステップＳ２０９において、信号処理部３０１は、10G-SDIのデータストリームを生成する。まず、8B/10Bエンコーダ３３４−１は、RAM３３３ａ−１に記憶されているCh1のデータストリームのSAVの最初のワードからEAV/LN/CRCの最後のワードまでの領域から８ビット単位でデータを抜き出す。
【０２２０】
具体的には、Ch1のデータストリームの有効映像データ領域（H-Active）からは、RAWデータの画素データの上位８ビットが多重されている上位６ビット（Ｂ９−Ｂ４）と下位２ビット（Ｂ１−Ｂ０）の計８ビットのデータが抜き出される。また、SAV及びEAVの３ＦＦｈ，０００ｈ，０００ｈ，ＸＹＺは、下位２ビットがリザーブ＝０又は１であるので、１０ビットのデータのうちの上位８ビットが抜き出される。
【０２２１】
EAVの後のLN及びCRCについては、以下の手順で、図２６に示されるようにデータの抽出及び整列が行われ、１ワード（１０ビット）単位のデータが、１バイト（８ビット）単位のデータに変換される。なお、CLNはＣチャネルのLNを表し、YLNはＹチャネルのLNを表し、CCRはＣチャネルのCRCを表し、YCRはＹチャネルのCRCを表す。
【０２２２】
・CLN0の下位８ビットであるCLN0:0-7（第０ビットから第７ビットを表す。以下、同様に表記する。）
・CLN0:8-9、YLN0:2-7
・CLN1:0-7
・CLN0:8-9、YCR0:0-5
・CCR:0-7
・CCR:8-9、YCR0:6-8、YCR1:0-2
・CCR1:0-7
・CCR1:8-9、YCR1：3-8
【０２２３】
なお、CLNとYLNは同じデータであるため、YLNは基本的に削除され、多重されない。従って、YLN0:2-7はCLN0:2-7から判明するため、YLN0:2-7の代わりに、オール１のようなデータを埋め込んでもよい。また、CRCの第９ビットは第８ビットの反転ビットなので、削除され多重されない。また、CCRとYCRには、RAWデータをデータストリームに多重した後に計算されたデータが設定される。
【０２２４】
また、8B/10Bエンコーダ３３４−１は、図２７に示されるように、SAVの最初の２バイト（１６ビット）を２バイトのK28.5に置き換える。置き換えられた部分は、８バイト／１０バイト変換符号のワード同期信号として用いられる。なお、この置き換えは、Ch1のデータストリームに対してのみ行われる。
【０２２５】
そして、8B/10Bエンコーダ３３４−１は、Ch1のデータストリームのSAVからEAV/LN/CRCまでの領域（以下、SAV-EAV領域と称する）から抜き出した８ビット単位のデータ列を、順次３２ビット（８ビット×４サンプル）単位で8B/10B変換し、４０ビットのデータブロックを生成し、多重部３２２に供給する。
【０２２６】
また、8B/10Bエンコーダ３３４−１は、Ch1のデータストリームの水平補助データ領域から４０ビット（１０ビット×４サンプル）単位でデータを抜き出し、8B/10B変換により５０ビットのデータブロックを生成し、多重部３２２に供給する。
【０２２７】
同様に、8B/10Bエンコーダ３３４−２は、Ch3のデータストリームのSAV-EAV領域から抜き出した８ビット単位のデータ列を、順次３２ビット（８ビット×４サンプル）単位で8B/10B変換し、４０ビットのデータブロックを生成し、多重部３２２に供給する。また、8B/10Bエンコーダ３３４−２は、Ch3のデータストリームの水平補助データ領域から４０ビット（１０ビット×４サンプル）単位でデータを抜き出し、8B/10B変換により５０ビットのデータブロックを生成し、多重部３２２に供給する。
【０２２８】
8B/10Bエンコーダ３３４−３は、Ch5のデータストリームのSAV-EAV領域から抜き出した８ビット単位のデータ列を、順次３２ビット（８ビット×４サンプル）単位で8B/10B変換し、４０ビットのデータブロックを生成し、多重部３２２に供給する。また、8B/10Bエンコーダ３３４−３は、Ch5のデータストリームの水平補助データ領域から４０ビット（１０ビット×４サンプル）単位でデータを抜き出し、8B/10B変換により５０ビットのデータブロックを生成し、多重部３２２に供給する。
【０２２９】
8B/10Bエンコーダ３３４−４は、Ch7のデータストリームのSAV-EAV領域から抜き出した８ビット単位のデータ列を、順次３２ビット（８ビット×４サンプル）単位で8B/10B変換し、４０ビットのデータブロックを生成し、多重部３２２に供給する。また、8B/10Bエンコーダ３３４−３は、Ch7のデータストリームの水平補助データ領域から４０ビット（１０ビット×４サンプル）単位でデータを抜き出し、8B/10B変換して５０ビットのデータブロックを生成し、多重部３２２に供給する。
【０２３０】
また、スクランブラ３３５−１は、8B/10Bエンコーダ３３４−１と同様に、Ch2のデータストリームのSAV-EAV領域から８ビット単位でデータを抜き出す。そして、スクランブラ３３５−１は、抜き出したデータを順次３２ビット単位でスクランブルして、３２ビットのデータブロックを生成し、多重部３２２に供給する。
【０２３１】
同様に、スクランブラ３３５−２は、Ch4のデータストリームのSAV-EAV領域から８ビット単位でデータを抜き出す。そして、スクランブラ３３５−２は、抜き出したデータを順次３２ビット単位でスクランブルして、３２ビットのデータブロックを生成し、多重部３２２に供給する。
【０２３２】
スクランブラ３３５−３は、Ch6のデータストリームのSAV-EAV領域から８ビット単位でデータを抜き出す。そして、スクランブラ３３５−３は、抜き出したデータを順次３２ビット単位でスクランブルして、３２ビットのデータブロックを生成し、多重部３２２に供給する。
【０２３３】
スクランブラ３３５−４は、Ch8のデータストリームのSAV-EAV領域から８ビット単位でデータを抜き出す。そして、スクランブラ３３５−４は、抜き出したデータを順次３２ビット単位でスクランブルして、３２ビットのデータブロックを生成し、多重部３２２に供給する。
【０２３４】
また、8B/10Bエンコーダ３３４−５は、Ch2のデータストリームの水平補助データ領域から４０ビット（１０ビット×４サンプル）単位でデータを抜き出し、8B/10B変換して５０ビットのデータブロックを生成し、多重部３２２に供給する。
【０２３５】
多重部３２２は、以上のようにしてデータ処理部３２１−１乃至３２１−４から供給されるデータブロックを、図２８の右側及び図２９に示されるように多重化することにより、10G-SDIのデータストリームを生成する。なお、図２９は、10G-SDIのデータストリームの１ライン期間のデータの構成例を示している。
【０２３６】
すなわち、多重部３２２は、Ch1乃至Ch8のデータストリームのSAV-EAV領域から生成された４０ビット又は３２ビットのデータブロックを、Ch1，Ch2，Ch3，Ch4，Ch5，Ch6，Ch7，Ch8，Ch1，Ch2・・・の順に１ブロックずつ多重する。これにより、10G-SDIのデータストリームのSAV、有効映像データ領域、EAV/LN/CRCの領域が生成される。
【０２３７】
また、多重部３２２は、Ch1、Ch2、Ch3、Ch5、Ch7のデータストリームの水平補助データ領域から生成された５０ビットのデータブロックを、Ch1，Ch2，Ch3，Ch5，Ch7，Ch1，Ch2・・・の順に１ブロックずつ多重する。これにより、10G-SDIのデータストリームの水平補助データ領域が生成される。
【０２３８】
さらに、多重部３２２は、１ラインの周期を揃えるために、水平補助データ領域の後に8B/10B符号のD0.0からなる付加データを多重する。
【０２３９】
そして、多重部３２２は、生成した10G-SDIのデータストリームをP/S変換部３２３に供給する。
【０２４０】
ステップＳ２１０において、P/S変換部３２３は、10G-SDIのデータストリームのP/S変換を行う。すなわち、P/S変換部３２３は、多重部３２２から供給される10G-SDIのデータストリームをP/S変換し、送信制御部３０２に供給する。
【０２４１】
ステップＳ２１１において、送信制御部３０２は、10G-SDIのデータストリームを送信する。すなわち、送信制御部３０２は、10G-SDIのシリアル系列のデータストリームを送信することにより、RAWデータをCCU１２ｃに送信する。
【０２４２】
図３０は、第３の実施の形態の10G-SDIのデータストリームの１ラインあたりの全ワード数、有効映像データ領域のデータ数、水平補助データ領域及びSAV/EAV/LN/CRCのデータ数、付加データのデータ数を、伝送するRAWデータのフォーマット及びフレームレート毎に示している。
【０２４３】
［RAWデータ受信処理］
次に、図３１のフローチャートを参照して、図２５の放送用カメラ１１ｃによるRAWデータ送信処理に対応して、CCU１２ｃにより実行されるRAWデータ受信処理について説明する。
【０２４４】
ステップＳ２５１において、受信制御部３５１は、放送用カメラ１１ｃから送信されてきた10G-SDIのデータストリームを受信し、S/P変換部３７１に供給する。
【０２４５】
ステップＳ２５２において、S/P変換部３７１は、10G-SDIのデータストリームをS/P変換し、分離部３７２に供給する。
【０２４６】
ステップＳ２５３において、信号処理部３５２は、10G-SDIのデータストリームを3G-SDIのデータストリームに分離する。具体的には、分離部３７２は、放送用カメラ１１の多重部３２２と逆の処理により、10G-SDIのデータストリームを各データブロックに分離する。そして、分離部３７２は、HD-SDIのCh1，Ch3，Ch5，Ch7のデータストリームのSAV-EAV領域のデータからなる４０ビットのデータブロックを、8B/10Bデコーダ３８１−１乃至３８１−４にそれぞれ供給する。また、分離部３７２は、HD-SDIのCh2，Ch4，Ch6，Ch8のデータストリームのSAV-EAV領域のデータからなる３２ビットのデータブロックを、デスクランブラ３８２−１乃至３８２−４にそれぞれ供給する。
【０２４７】
さらに、分離部３７２は、HD-SDIのCh1，Ch3，Ch5，Ch7のデータストリームの水平補助データ領域のデータからなる５０ビットのデータブロックを、8B/10Bデコーダ３８１−１乃至３８１−４にそれぞれ供給する。また、分離部３７２は、HD-SDIのCh2のデータストリームの水平補助データ領域のデータからなる５０ビットのデータブロックを、8B/10Bデコーダ３８１−５に供給する。
【０２４８】
8B/10Bデコーダ３８１−１乃至３８１−４は、分離部３７２から供給されるデータブロックを10B/8B変換し、RAM３８３ａ−１乃至３８３ａ−４に記憶させる。
【０２４９】
デスクランブラ３８２−１乃至３８２−４は、分離部３７２から供給されるデータブロックをデスクランブルし、RAM３８３ｂ−１乃至３８３ｂ−４に記憶させる。
【０２５０】
8B/10Bデコーダ３８１−５は、分離部３７２から供給されるデータブロックを10B/8B変換し、RAM３８３ｂ−１に記憶させる。
【０２５１】
多重部３８４−１は、放送用カメラ１１ｃの分離部３３２−１と逆の処理により、RAM３８３ａ−１及びRAM３８３ｂ−１に記憶されているデータブロックを用いて、3G-SDIのCh1のデータストリームを生成する。多重部３８４−１は、生成した3G-SDIのCh1のデータストリームをスクランブル・P/S変換部３８５−１に供給する。
【０２５２】
多重部３８４−２は、放送用カメラ１１ｃの分離部３３２−２と逆の処理により、RAM３８３ａ−２及びRAM３８３ｂ−２に記憶されているデータブロックを用いて、3G-SDIのCh2のデータストリームを生成する。多重部３８４−２は、生成した3G-SDIのCh2のデータストリームをスクランブル・P/S変換部３８５−２に供給する。
【０２５３】
多重部３８４−３は、放送用カメラ１１ｃの分離部３３２−３と逆の処理により、RAM３８３ａ−３及びRAM３８３ｂ−３に記憶されているデータブロックを用いて、3G-SDIのCh3のデータストリームを生成する。多重部３８４−３は、生成した3G-SDIのCh3のデータストリームをスクランブル・P/S変換部３８５−３に供給する。
【０２５４】
多重部３８４−４は、放送用カメラ１１ｃの分離部３３２−４と逆の処理により、RAM３８３ａ−４及びRAM３８３ｂ−４に記憶されているデータブロックを用いて、3G-SDIのCh4のデータストリームを生成する。多重部３８４−４は、生成した3G-SDIのCh4のデータストリームをスクランブル・P/S変換部３８５−４に供給する。
【０２５５】
ステップＳ２５４において、スクランブル・P/S変換部３８５−１乃至３８５−４は、3G-SDIのデータストリームのスクランブル及びP/S変換を行う。すなわち、スクランブル・P/S変換部３８５−１乃至３８５−４は、図６のステップＳ５の処理と同様に、3G-SDIのCh1乃至Ch4のデータストリームのスクランブル及びP/S変換をそれぞれ行う。スクランブル・P/S変換部３８５−１乃至３８５−４は、処理後の3G-SDIのCh1乃至Ch4のデータストリームを、信号処理部２５２のS/P変換・デスクランブル部２６１−１乃至２６１−４に供給する。
【０２５６】
その後、ステップＳ２５５乃至Ｓ２５７において、図２０のステップＳ１５２乃至Ｓ１５４と同様の処理が実行される。これにより、元の２フレーム分のRAWデータが復元され、映像処理部１５３に供給される。
【０２５７】
その後、RAWデータ受信処理は終了する。
【０２５８】
このようにして、10G-SDIを用いて、47.95P-60Pの４Ｋのベイヤ配列のRAWデータを伝送することができる。
【０２５９】
＜８．第３の実施の形態の変形例＞
以下、上述した第３の実施の形態の変形例について説明する。
【０２６０】
例えば、放送用カメラ１１ｃの信号処理部２０２から信号処理部３０１に、スクランブル及びP/S変換を行う前の3G-SDIのデータストリームを供給するようにすることも可能である。これにより、信号処理部２０２のスクランブル・P/S変換部２１５−１乃至２１５−４を削除して、スクランブル及びP/S変換を省略したり、信号処理部３０１のS/P変換・デスクランブル部３３１−１乃至３３１−４を削除して、S/P変換及びデスクランブルの処理を省略したりすることが可能になる。
【０２６１】
さらに、例えば、放送用カメラ１１ｃの信号処理部２０２から信号処理部３０１に、3G-SDIのデータストリームに多重化する前のHD-SDIのデータストリームを供給するようにすることも可能である。これにより、信号処理部２０２の多重部２１４−１乃至２１４−４を削除してHD-SDIから3G-SDIへの多重化処理を省略したり、信号処理部３０１の分離部３３２−１乃至３３２−４を削除して3G-SDIからHD-SDIへの分離処理を省略したりすることが可能になる。
【０２６２】
さらに、例えば、CCU１２ｃの信号処理部３５２から信号処理部２５２に、スクランブル及びP/S変換を行う前の3G-SDIのデータストリームを供給するようにすることも可能である。これにより、信号処理部３５２のスクランブル及びP/S変換、並びに、信号処理部２５２のS/P変換及びデスクランブルの処理を省略することが可能になる。
【０２６３】
また、例えば、CCU１２ｃの信号処理部３５２から信号処理部２５２に、3G-SDIのデータストリームに多重化する前のHD-SDIのデータストリームを供給するようにしてもよい。これにより、信号処理部３５２のHD-SDIから3G-SDIへの多重化処理、並びに、信号処理部２５２の3G-SDIからHD-SDIへの分離処理を省略することが可能になる。
【０２６４】
＜９．第４の実施の形態＞
次に、図３２乃至図３８を参照して、本技術の第４の実施の形態について説明する。
【０２６５】
上述した第３の実施の形態は、RAWデータを８チャネルのHD-SDI（４チャネルの3G-SDI）のデータストリームに多重したものを１チャネルの10G-SDIのデータストリームに変換して伝送する技術に関するものであった。これに対して、第４の実施の形態は、８チャネルのHD-SDIのデータストリームのうち７チャネルにRAWデータを多重し、残りの１チャネル（以下、トランクラインとも称する）にRAWデータとは別のデータを多重したものを１チャネルの10G-SDIのデータストリームに変換して伝送するものである。
【０２６６】
［放送用カメラ１１ｄの回路構成例］
図３２は、図１の放送用カメラ１１の第４の実施の形態である放送用カメラ１１ｄの一部の機能の構成例を示すブロック図である。なお、図中、図２１と対応する部分には同じ符号を付してあり、処理が同じ部分については、その説明は繰り返しになるため適宜省略する。
【０２６７】
放送用カメラ１１ｄは、図２１の放送用カメラ１１ｃと比較して、信号処理部３０１の代わりに信号処理部４０１が設けられている点が異なる。
【０２６８】
信号処理部４０１は、信号処理部２０２から供給される3G-SDIのCh1乃至Ch4のデータストリームから10G-SDIのデータストリームを生成して、生成した10G-SDIのデータストリームを送信制御部３０２に供給する。
【０２６９】
［信号処理部４０１の構成例］
図３３は、信号処理部４０１の構成例を示すブロック図である。なお、図中、図２２と対応する部分には同じ符号を付してあり、処理が同じ部分については、その説明は繰り返しになるため適宜省略する。
【０２７０】
信号処理部４０１は、図２２の信号処理部３０１と比較して、データ処理部３２１−１、データ処理部３２１−４、及び、多重部３２２の代わりに、それぞれデータ処理部４２１−１、データ処理部４２１−２、及び、多重部４２２が設けられている点が異なる。
【０２７１】
データ処理部４２１−１は、信号処理部３０１のデータ処理部３２１−１と比較して、8B/10Bエンコーダ３３４−５が削除されている点が異なる。
【０２７２】
データ処理部４２１−２は、信号処理部３０１のデータ処理部３２１−４と比較して、8B/10Bエンコーダ３３４−４の代わりに、8B/10Bエンコーダ４３１が設けられている点が異なる。8B/10Bエンコーダ４３１は、RAM３３３ａ−４に記憶されているCh7のデータストリームを所定の単位ごとに8B/10B（８ビット／１０ビット）変換し、得られたデータブロックを多重部４２２に供給する。
【０２７３】
多重部４２２は、8B/10Bエンコーダ３３４−１乃至３３４−３、8B/10Bエンコーダ４３１、及び、スクランブラ３３５−１乃至３３５−４から供給されるデータブロックを多重化することにより、10G-SDIのデータストリームを生成する。多重部４２２は、生成した10G-SDIのデータストリームをP/S変換部３２３に供給する。
【０２７４】
［CCU１２ｄの回路構成例］
図３４は、図１のCCU１２の第４の実施の形態であるCCU１２ｄの一部の機能の構成例を示すブロック図である。なお、図中、図２３と対応する部分には同じ符号を付してあり、処理が同じ部分については、その説明は繰り返しになるため適宜省略する。
【０２７５】
CCU１２ｄは、図２３のCCU１２ｃと比較して、信号処理部３５２の代わりに信号処理部４５１が設けられている点が異なる。
【０２７６】
信号処理部４５１は、10G-SDIのデータストリームを3G-SDIのCh1乃至Ch4のデータストリームに分離し、信号処理部２５２に供給する。
【０２７７】
［信号処理部４５１の構成例］
図３５は、信号処理部４５１の構成例を示すブロック図である。なお、図中、図２４と対応する部分には同じ符号を付してあり、処理が同じ部分については、その説明は繰り返しになるため適宜省略する。
【０２７８】
信号処理部４５１は、図２４の信号処理部３５２と比較して、分離部３７２、データ処理部３７３−１、及び、データ処理部３７３−４、及びの代わりに、それぞれ分離部４７１、データ処理部４７２−１、及び、データ処理部４７２−２が設けられている点が異なる。
【０２７９】
分離部４７１は、図３３の信号処理部４０１の多重部４２２と逆の処理により、10G-SDIのデータストリームを所定のデータブロックに分離する。そして、分離部４７１は、分離後のデータブロックを、8B/10Bデコーダ３８１−１乃至３８１−３、8B/10Bデコーダ４８１及びデスクランブラ３８２−１乃至３８２−４に供給する。
【０２８０】
データ処理部４７２−１は、信号処理部３５２のデータ処理部３７３−１と比較して、8B/10Bデコーダ３８１−５が削除されている点が異なる。
【０２８１】
データ処理部４７２−２は、信号処理部３５２のデータ処理部３７３−４と比較して、8B/10Bデコーダ３８１−４の代わりに、8B/10Bデコーダ４８１が設けられている点が異なる。8B/10Bデコーダ４８１は、分離部４７１から供給されるデータブロックを10B/8B変換し、RAM３８３ａ−４に記憶させる。
【０２８２】
［10G-SDIのデータストリームのデータ構造］
放送用カメラ１１ｄによるRAWデータ送信処理は、図２５を参照して上述した第３の実施の形態のRAWデータ送信処理と同様の処理により実行することが可能である。また、CCU１２ｄによるRAWデータ受信処理は、図３１を参照して上述した第４の実施の形態のRAWデータ受信処理と同様の処理により実行することが可能である。
【０２８３】
ただし、第４の実施の形態では、第３の実施の形態と比較して、放送用カメラ１１ｄとCCU１２ｄとの間で伝送される10G-SDIのデータストリームのデータ構造が異なる。ここで、図３６及び図３７を参照して、第４の実施の形態における10G-SDIのデータストリームのデータ構造の例について説明する。
【０２８４】
図３６には、HD-SDIのCh1乃至Ch8のデータストリームのうちCh7をトランクラインとする例が示されている。この場合、Ch1乃至Ch6及びCh8のデータストリームについては、図２６及び図２７を参照して上述したのと同様の方法により、データの抽出、並び替え及びデータブロック化が行われる。
【０２８５】
一方、Ch7のデータストリームについては、SAV-EAV領域から順次４０ビット（１０ビット×４サンプル）単位でデータが抜き出され、8B/10B変換され、５０ビットのデータブロックが生成される。また、同様に、水平補助データ領域から順次４０ビット（１０ビット×４サンプル）単位でデータが抜き出され、8B/10B変換され、５０ビットのデータブロックが生成される。
【０２８６】
そして、Ch1乃至Ch8のデータストリームのSAV-EAV領域のデータから生成された４０ビット、３２ビット又は５０ビットのデータブロックが、Ch1，Ch2，Ch3，Ch4，Ch5，Ch6，Ch7，Ch8，Ch1，Ch2・・・の順に１ブロックずつ多重される。これにより、10G-SDIのデータストリームのSAV、有効映像データ領域、EAV/LN/CRCの領域が生成される。
【０２８７】
また、Ch1、Ch3、Ch5、Ch7のデータストリームの水平補助データ領域のデータから生成された５０ビットのデータブロックが、Ch1，Ch3，Ch5，Ch7，Ch1，Ch2・・・の順に１ブロックずつ多重される。これにより、10G-SDIのデータストリームの水平補助データ領域が生成される。
【０２８８】
さらに、１ラインの周期を揃えるために、10G-SDIのデータストリームの水平補助データ領域の後に、8B/10B符号のD0.0からなる付加データが多重される。
【０２８９】
そして、このようにして生成された10G-SDIのデータストリームがP/S変換され、放送用カメラ１１ｄからCCU１２ｄに送信される。
【０２９０】
このようにして、例えば、制御コマンド、音声データ、RAWデータとは別の映像データ等をRAWデータとともに10G-SDIのデータストリームに多重して伝送することが可能になる。
【０２９１】
図３８は、第４の実施の形態の10G-SDIのデータストリームの１ラインあたりの全ワード数、有効映像データ領域のデータ数、水平補助データ領域及びSAV/EAV/LN/CRCのデータ数、付加データのデータ数を、伝送するRAWデータのフォーマット及びフレームレート毎に示している。なお、この図に示されるように、RAWデータのフォーマットが2048サンプル×1080ラインの場合には、図３６及び図３７の例とは異なり、Ch1及びCh7のみ水平補助データ領域のデータが10G-SDIのデータストリームに多重されて、伝送される。
【０２９２】
＜１０．第４の実施の形態の変形例＞
以上の説明では、HD-SDIのCh7のデータストリームをトランクラインに設定する例を示したが、その他のチャネルのデータストリームをトランクラインに設定するようにしてもよい。また、例えば、トランクラインの数を２チャネル以上に設定することも可能である。
【０２９３】
＜１１．第５の実施の形態＞
次に、図３９を参照して、本技術の第５の実施の形態について説明する。
【０２９４】
上述した第１の実施の形態は、SMPTE 425-1に規定される3G-SDIのレベルＢの規定に従って、23.98P-30Pの４Ｋのベイヤ配列のRAWデータを２チャネルのデータストリームにより伝送する技術に関するものであった。これに対して、第５の実施の形態は、SMPTE 425-1に規定される3G-SDIのレベルＡの規定に従って、23.98P-30Pの４Ｋのベイヤ配列のRAWデータを２チャネルのデータストリームにより伝送できるようにするものである。
【０２９５】
なお、第５の実施の形態では、第１の実施の形態の放送用カメラ１１ａ及びCCU１２ａと同様の構成の放送用カメラ及びCCUを用いることができるため、その説明は省略する。
【０２９６】
第１の実施の形態の図１３を参照して上述したように、図２のRAWデータは、Ｇｂ、Ｇｒ、Ｂ、Ｒの各サンプルの数が同じであり、ベイヤ配列単位に換算すると2048サンプル×1080ラインの映像データとみなすことができる。従って、図３９に示されるように、SMPTE 425-1の図２等に示される4:4:4:4（RGB+A）の映像データを3G-SDIのレベルＡにより伝送する場合の規定に従って、RAWデータを3G-SDIのデータストリームに多重して伝送することが可能である。
【０２９７】
具体的には、RAWデータの各画素データの上位８ビットが3G-SDIのCh1のデータストリームに多重され、下位８ビットがCh2のデータストリームに多重される。また、この２チャネルのデータストリームは、SMPTE 425-1の図２のフォーマットに従う。
【０２９８】
より具体的には、RAWデータのＧｒサンプルの画素データの上位８ビットが、3G-SDIのレベルＡのCh1のデータストリームのＧチャネルに多重され、下位８ビットが、3G-SDIのレベルＡのCh2のデータストリームのＧチャネルに多重される。
【０２９９】
RAWデータのＢサンプルの画素データの上位８ビットが、3G-SDIのレベルＡのCh1のデータストリームのＢチャネルに多重され、下位８ビットが、3G-SDIのレベルＡのCh2のデータストリームのＢチャネルに多重される。
【０３００】
RAWデータのＲサンプルの画素データの上位８ビットが、3G-SDIのレベルＡのCh1のデータストリームのＲチャネルに多重され、下位８ビットが、3G-SDIのレベルＡのCh2のデータストリームのＲチャネルに多重される。
【０３０１】
RAWデータのＧｂサンプルの画素データの上位８ビットが、3G-SDIのレベルＡのCh1のデータストリームのＡ（Auxiliary）チャネルに多重され、下位８ビットが、3G-SDIのレベルＡのCh2のデータストリームのＡチャネルに多重される。
【０３０２】
なお、ＧｒサンプルとＧｂサンプルを多重するチャネルを逆にしてもよい。すなわち、Ｇｒサンプルの画素データをＡチャネルに多重し、Ｇｂサンプルの画素データをＧチャネルに多重するようにしてもよい。
【０３０３】
また、RAWデータの各画素データのビット多重の方法は、図８及び図９を参照して上述した方法と同様である。
【０３０４】
そして、SMPTE 425-1の図２等の規定に従って、Ch1のＧチャネルとＲチャネルのデータストリームをワード多重することにより、Ch1のデータストリーム１（data stream one）が生成される。このデータストリームは、RAWデータのＧｒサンプルとＲサンプルの画素データの上位８ビットが多重されたものである。
【０３０５】
また、Ch1のＡチャネルとＢチャネルのデータストリームをワード多重することにより、Ch1のデータストリーム２（data stream two）が生成される。このデータストリームは、RAWデータのＧｂサンプルとＢサンプルの画素データの上位８ビットが多重されたものである。
【０３０６】
このように、RAWデータのＧｒ、Ｇｂ、Ｂ、Ｒの各サンプルの画素データの上位８ビットが、画素（サンプル）単位で２つのデータストリームに分けて多重される。
【０３０７】
同様に、Ch2のＧチャネルとＲチャネルのデータストリームをワード多重することにより、Ch2のデータストリーム１（data stream one）が生成される。このデータストリームは、RAWデータのＧｒサンプルとＲサンプルの画素データの下位８ビットが多重されたものである。
【０３０８】
また、Ch2のＡチャネルとＢチャネルのデータストリームをワード多重することにより、Ch2のデータストリーム２（data stream two）が生成される。このデータストリームは、RAWデータのＧｂサンプルとＢサンプルの画素データの下位８ビットが多重されたものである。
【０３０９】
このように、RAWデータのＧｒ、Ｇｂ、Ｂ、Ｒの各サンプルの画素データの下位８ビットが、画素（サンプル）単位で２つのデータストリームに分けて多重される。
【０３１０】
次に、SMPTE 424M／425-1の規定に従って、水平ブランキングデータ（H-Blank）、垂直ブランキングデータ（V-Blank）、SAV、EAV、LN、CRCCが各データストリームに付加される。
【０３１１】
次に、SMPTE 424Mの規定に従って、Ch1のデータストリーム１とデータストリーム２がワード多重され、スクランブル及びP/S変換が施され、3G-SDIのレベルＡのCh1のデータストリームが生成される。このデータストリームは、RAWデータのＧｒ、Ｇｂ、Ｂ、Ｒの各サンプルの画素データの上位８ビットが多重されたものである。
【０３１２】
同様に、Ch2のデータストリーム１とデータストリーム２がワード多重され、スクランブル及びP/S変換が施され、3G-SDIのレベルＡのCh2のデータストリームが生成される。このデータストリームは、RAWデータのＧｒ、Ｇｂ、Ｂ、Ｒの各サンプルの画素データの下位８ビットが多重されたものである。
【０３１３】
そして、Ch1とCh2のデータストリームが伝送される。
【０３１４】
このようにして、3G-SDIのレベルＡの規定に従って、例えば、既存の3G-SDI用のICや装置を用いて、23.98P-30Pの４Ｋのベイヤ配列のRAWデータを伝送することができる。また、Ch1のデータストリームには、RAWデータの各画素データの上位８ビットが多重されている。従って、例えば、3G-SDI用の観測装置を用いて、Ch1のデータストリームによりRAWデータの映像を目で見て確認することができる。さらに、各データストリームに付加されているCRCCを用いて、3G-SDIの観測装置により伝送系のエラーをモニタすることができる。
【０３１５】
＜１２．第６の実施の形態＞
次に、図４０乃至図４４を参照して、本技術の第６の実施の形態について説明する。
【０３１６】
上述した第２の実施の形態は、SMPTE 372及びSMPTE 425-1に規定される3G-SDIのレベルＢの規定に従って、47.95P-60Pの４Ｋのベイヤ配列のRAWデータを４チャネルのデータストリームにより伝送する技術に関するものであった。これに対して、第５の実施の形態は、SMPTE 425-1に規定される3G-SDIのレベルＡの規定に従って、23.98P-30Pの４Ｋのベイヤ配列のRAWデータを４チャネル又は２チャネルのデータストリームにより伝送できるようにするものである。
【０３１７】
なお、第６の実施の形態では、第２の実施の形態の放送用カメラ１１ｂ及びCCU１２ｂと同様の構成の放送用カメラ及びCCUを用いることができるため、その説明は省略する。
【０３１８】
まず、図４０を参照して、第６の実施の形態の第１の方式（以下、方式１と称する）について説明する。方式１では、第１の実施の形態の場合と同様に、RAWデータの画素がベイヤ配列単位で水平方向に交互に１サンプルずつ間引かれ、２つのRAWデータに分離されて伝送される。
【０３１９】
まず、図４０の左側に示されるように、図７と同様の方法により、RAWデータの画素データの並べ替えが行われる。従って、図４０の１乃至８行目のデータ列は、図７の１乃至８行目のデータ列と同様のものである。
【０３２０】
そして、１行目のデータ列の画素データが、SMPTE 425-1の図１に規定される3G-SDIのレベルＡのデータストリーム１（data stream one）の有効映像データ領域に多重され、Ch1のデータストリーム１が生成される。
【０３２１】
２行目のデータ列の画素データが、SMPTE 425-1の図１に規定される3G-SDIのレベルＡのデータストリーム２（data stream two）の有効映像データ領域に多重され、Ch1のデータストリーム２が生成される。
【０３２２】
３行目のデータ列の画素データが、SMPTE 425-1の図１に規定される3G-SDIのレベルＡのデータストリーム１（data stream one）の有効映像データ領域に多重され、Ch2のデータストリーム１が生成される。
【０３２３】
４行目のデータ列の画素データが、SMPTE 425-1の図１に規定される3G-SDIのレベルＡのデータストリーム２（data stream two）の有効映像データ領域に多重され、Ch2のデータストリーム２が生成される。
【０３２４】
５行目のデータ列の画素データが、SMPTE 425-1の図１に規定される3G-SDIのレベルＡのデータストリーム１（data stream one）の有効映像データ領域に多重され、Ch3のデータストリーム１が生成される。
【０３２５】
６行目のデータ列の画素データが、SMPTE 425-1の図１に規定される3G-SDIのレベルＡのデータストリーム２（data stream two）の有効映像データ領域に多重され、Ch3のデータストリーム２が生成される。
【０３２６】
７行目のデータ列の画素データが、SMPTE 425-1の図１に規定される3G-SDIのレベルＡのデータストリーム１（data stream one）の有効映像データ領域に多重され、Ch4のデータストリーム１が生成される。
【０３２７】
８行目のデータ列の画素データが、SMPTE 425-1の図１に規定される3G-SDIのレベルＡのデータストリーム２（data stream two）の有効映像データ領域に多重され、Ch4のデータストリーム２が生成される。
【０３２８】
なお、RAWデータの各画素データのビット多重の方法は、図８及び図９を参照して上述した方法と同様である。
【０３２９】
次に、SMPTE 424M／425-1の規定に従って、水平ブランキングデータ（H-Blank）、垂直ブランキングデータ（V-Blank）、SAV、EAV、LN、CRCCが各データストリームに付加される。
【０３３０】
次に、SMPTE 424Mの規定に従って、Ch1のデータストリーム１とデータストリーム２がワード多重され、スクランブル及びP/S変換が施され、3G-SDIのレベルＡのCh1のデータストリームが生成される。このデータストリームは、RAWデータのベイヤ配列単位の偶数サンプルに含まれるＧｒ、Ｇｂ、Ｂ、Ｒの各サンプルの画素データの上位８ビットが多重されたものである。
【０３３１】
同様に、Ch2のデータストリーム１とデータストリーム２がワード多重され、スクランブル及びP/S変換が施され、3G-SDIのレベルＡのCh2のデータストリームが生成される。このデータストリームは、RAWデータのベイヤ配列単位の奇数サンプルに含まれるＧｒ、Ｇｂ、Ｂ、Ｒの各サンプルの画素データの上位８ビットが多重されたものである。
【０３３２】
このように、RAWデータのＧｒ、Ｇｂ、Ｂ、Ｒの各サンプルの画素データの上位８ビットが、画素（サンプル）単位（より正確にはベイヤ配列単位）で２つのデータストリームに分けて多重される。
【０３３３】
また、Ch3のデータストリーム１とデータストリーム２がワード多重され、スクランブル及びP/S変換が施され、3G-SDIのレベルＡのCh3のデータストリームが生成される。このデータストリームは、RAWデータのベイヤ配列単位の偶数サンプルに含まれるＧｒ、Ｇｂ、Ｂ、Ｒの各サンプルの画素データの下位８ビットが多重されたものである。
【０３３４】
さらに、Ch4のデータストリーム１とデータストリーム２がワード多重され、スクランブル及びP/S変換が施され、3G-SDIのレベルＡのCh4のデータストリームが生成される。このデータストリームは、RAWデータのベイヤ配列単位の奇数サンプルに含まれるＧｒ、Ｇｂ、Ｂ、Ｒの各サンプルの画素データの下位８ビットが多重されたものである。
【０３３５】
このように、RAWデータのＧｒ、Ｇｂ、Ｂ、Ｒの各サンプルの画素データの下位８ビットが、画素（サンプル）単位（より正確にはベイヤ配列単位）で２つのデータストリームに分けて多重される。
【０３３６】
そして、Ch1乃至Ch4のデータストリームが伝送される。
【０３３７】
このようにして、3G-SDIのレベルＡの規定に従って、例えば、既存の3G-SDI用のICや装置を用いて、47.95P-60Pの４Ｋのベイヤ配列のRAWデータを伝送することができる。また、Ch1及びCh2のデータストリームには、RAWデータの各画素データの上位８ビットが多重されている。従って、例えば、3G-SDI用の観測装置を用いて、Ch1又はCh2のデータストリームによりRAWデータの映像を目で見て確認することができる。さらに、各データストリームに付加されているCRCCを用いて、3G-SDIの観測装置により伝送系のエラーをモニタすることができる。
【０３３８】
次に、図４１を参照して、第６の実施の形態の第２の方式（以下、方式２と称する）について説明する。
【０３３９】
図４１と図４０を比較すると、Ｂ及びＲサンプルの画素データの多重方法は共通である一方、Ｇｒ及びＧｂサンプルの画素データの多重方法が異なっている。すなわち、Ｇｒサンプルの画素データの上位８ビットが、3G-SDIのレベルＡのCh1のデータストリーム１に多重され、下位８ビットが、3G-SDIのレベルＡのCh3のデータストリーム１に多重される。また、Ｇｒサンプルの画素データの上位８ビットが、3G-SDIのレベルＡのCh2のデータストリーム１に多重され、下位８ビットが、3G-SDIのレベルＡのCh4のデータストリーム１に多重される。
【０３４０】
次に、図４２乃至図４４を参照して、第６の実施の形態の第３の方式（以下、方式３と称する）について説明する。
【０３４１】
上述したように、図２のRAWデータは、Ｇｂ、Ｇｒ、Ｂ、Ｒの各サンプルの数が同じであり、ベイヤ配列単位に換算すると2048サンプル×1080ラインの映像データとみなすことができる。従って、4:4:4:4（RGB+A）の映像データを3G-SDIのレベルＡにより伝送する場合の規定に従って、RAWデータを3G-SDIのデータストリームに多重して伝送することが可能である。
【０３４２】
ここで、図４２を参照して、第６の実施の形態の方式３の概要について説明する。
【０３４３】
まず、RAWデータの画素データの上位８ビットからなるRAWデータ１が、Ch1のサブイメージ１及びサブイメージ２に分割される。さらに、Ch1のサブイメージ１からCh1のデータストリーム１（data stream one）及びデータストリーム２（data stream two）が生成される。また、Ch1のサブイメージ２からCh1のデータストリーム３（data stream three）及びデータストリーム４（data stream four）が生成される。そして、Ch1のデータストリーム１とデータストリーム２を多重化することにより、3G-SDIのCh1のリンク１のデータストリームが生成される。また、Ch1のデータストリーム３とデータストリーム４を多重化することにより、3G-SDIのCh1のリンク２のデータストリームが生成される。
【０３４４】
同様に、RAWデータの画素データの下位８ビットからなるRAWデータ２が、Ch2のサブイメージ１及びサブイメージ２に分割される。さらに、Ch2のサブイメージ１からCh2のデータストリーム１（data stream one）及びデータストリーム２（data stream two）が生成される。また、Ch2のサブイメージ２からCh2のデータストリーム３（data stream three）及びデータストリーム４（data stream four）が生成される。そして、Ch2のデータストリーム１とデータストリーム２を多重化することにより、3G-SDIのCh2のリンク１のデータストリームが生成される。また、Ch2のデータストリーム３とデータストリーム４を多重化することにより、3G-SDIのCh2のリンク２のデータストリームが生成される。
【０３４５】
より具体的には、まず、図４３の左側に示されるように、図７と同様の方法により、RAWデータの画素データの並べ替えが行われる。すなわち、RAWデータ１を構成する画素データが、図４３の１行目から４行目のデータ列のように並べ替えられ、RAWデータ２を構成する画素データが、図４３の５行目から８行目のデータ列のように並べ替えられる。
【０３４６】
次に、RAWデータ１が、図４４に示される方法により、Ch1のサブイメージ１及びサブイメージ２に分割される。Ch1のサブイメージ１は、RAWデータ１のＧｒサンプル、並びに、RAWデータ１のベイヤ配列単位で偶数サンプルに含まれるＢサンプル及びＲサンプルにより構成される。Ch1のサブイメージ２は、RAWデータ１のＧｂサンプル、並びに、RAWデータ１のベイヤ配列単位で奇数サンプルに含まれるＢサンプル及びＲサンプルにより構成される。
【０３４７】
そして、Ch1のサブイメージ１のＧｒサンプルの画素データを、SMPTE 425-1の図１或いはSMPTE424Mの図３に示される3G-SDIのレベルＡのdata stream oneの有効映像データ領域のＹチャネルに多重することにより、Ch1のデータストリーム１が生成される。従って、Ch1のデータストリーム１は、RAWデータのＧｒサンプルの画素データの上位８ビットが多重されたものである。
【０３４８】
また、Ch1のサブイメージ１のＢサンプル及びＲサンプルの画素データを、SMPTE 425-1の図１或いはSMPTE424Mの図３に示される3G-SDIのレベルＡのdata stream twoの有効映像データ領域のＣｂチャネル及びＣｒチャネルにそれぞれ多重することにより、Ch1のデータストリーム２が生成される。従って、Ch1のデータストリーム２は、RAWデータのベイヤ配列単位で偶数サンプルに含まれるＢサンプル及びＲサンプルの画素データの上位８ビットが多重されたものである。
【０３４９】
さらに、Ch1のサブイメージ２のＧｂサンプルの画素データを、SMPTE 425-1の図１或いはSMPTE424Mの図３に示される3G-SDIのレベルＡのdata stream oneの有効映像データ領域のＹチャネルに多重することにより、Ch1のデータストリーム３が生成される。従って、Ch1のデータストリーム３は、RAWデータのＧｂサンプルの画素データの上位８ビットが多重されたものである。
【０３５０】
また、Ch1のサブイメージ２のＢサンプル及びＲサンプルの画素データを、SMPTE 425-1の図１或いはSMPTE424Mの図３に示される3G-SDIのレベルＡのdata stream twoの有効映像データ領域のＣｂチャネル及びＣｒチャネルにそれぞれ多重することにより、Ch1のデータストリーム４が生成される。従って、Ch1のデータストリーム４は、RAWデータのベイヤ配列単位で奇数サンプルに含まれるＢサンプル及びＲサンプルの画素データの上位８ビットが多重されたものである。
【０３５１】
また、RAWデータ２に対しても同様の処理を行うことにより、Ch2のデータストリーム１乃至４が生成される。なお、Ch2のデータストリーム１は、RAWデータのＧｒサンプルの画素データの下位８ビットが多重されたものである。Ch2のデータストリーム２は、RAWデータのベイヤ配列単位で偶数サンプルに含まれるＢサンプル及びＲサンプルの画素データの下位８ビットが多重されたものである。Ch2のデータストリーム３は、RAWデータのＧｂサンプルの画素データの下位８ビットが多重されたものである。Ch2のデータストリーム４は、RAWデータのベイヤ配列単位で奇数サンプルに含まれるＢサンプル及びＲサンプルの画素データの下位８ビットが多重されたものである。
【０３５２】
なお、RAWデータの各画素データのビット多重の方法は、図８及び図９を参照して上述した方法と同様である。
【０３５３】
次に、SMPTE 424M／425-1の規定に従って、水平ブランキングデータ（H-Blank）、垂直ブランキングデータ（V-Blank）、SAV、EAV、LN、CRCCが、Ch1のデータストリーム１乃至４及びCh2のデータストリーム１乃至４に付加される。
【０３５４】
そして、SMPTE 424Mの規定に従って、Ch1のデータストリーム１とデータストリーム２がワード多重され、スクランブル及びP/S変換が施され、3G-SDIのレベルＡのCh1のリンク１のデータストリームが生成される。同様に、Ch1のデータストリーム３とデータストリーム４がワード多重され、スクランブル及びP/S変換が施され、3G-SDIのレベルＡのCh1のリンク２のデータストリームが生成される。
【０３５５】
このように、RAWデータのＧｒ、Ｇｂ、Ｂ、Ｒの各サンプルの画素データの上位８ビットが、画素（サンプル）単位で２つのデータストリームに分けて多重される。
【０３５６】
また、Ch2のデータストリーム１とデータストリーム２がワード多重され、スクランブル及びP/S変換が施され、3G-SDIのレベルＡのCh2のリンク１のデータストリームが生成される。Ch2のデータストリーム３とデータストリーム４がワード多重され、スクランブル及びP/S変換が施され、3G-SDIのレベルＡのCh2のリンク２のデータストリームが生成される。
【０３５７】
このように、RAWデータのＧｒ、Ｇｂ、Ｂ、Ｒの各サンプルの画素データの下位８ビットが、画素（サンプル）単位で２つのデータストリームに分けて多重される。
【０３５８】
そして、Ch1及びCh2のリンクＡとリンクＢの４チャネルのデータストリームが伝送される。或いは、Ch1のリンクＡとリンクＢのデータストリームをdual linkにより伝送し、Ch2のリンクＡとリンクＢのデータストリームをdual linkにより伝送することも可能である。
【０３５９】
このようにして、3G-SDIのレベルＡの規定に従って、例えば、既存の3G-SDI用のICや装置を用いて、47.95P-60Pの４Ｋのベイヤ配列のRAWデータを伝送することができる。また、Ch1のリンクＡ及びリンクＢのデータストリームには、RAWデータの各画素データの上位８ビットが多重されている。従って、例えば、3G-SDI用の観測装置を用いて、Ch1のリンクＡ又はリンクＢのデータストリームによりRAWデータの映像を目で見て確認することができる。さらに、各データストリームに付加されているCRCCを用いて、3G-SDIの観測装置により伝送系のエラーをモニタすることができる。
【０３６０】
＜１３．変形例＞
以下、本技術の実施の形態において、上述した変形例以外の変形例について説明する。
【０３６１】
以上の説明では、データストリームを１０ビット単位（ワード長が１０ビット）で構成する例を示したが、１０ビット以上の任意のＮビットに設定することが可能である。
【０３６２】
また、Ｎビットのうちの上位ｍビット（８≦ｍ≦Ｎ−２）が全て同じ値のデータが禁止コードに設定されている場合、Ｎビットのうちの上位ｍ−２ビット及び下位Ｎ−ｍビットにRAWデータの画素データを多重し、上位ｍビットのうちの下位２ビットを互いに異なる値に設定するようにすればよい。ちなみに、上述した実施の形態では、Ｎ＝１０ビット、ｍ＝８ビットに設定されている。
【０３６３】
さらに、Ｎが１０ビット以外の値に設定され、RAWデータの画素データのデータ長がＮ−２ビットより大きく２Ｎ−４ビット以下である場合、上述した実施の形態と同様にして、画素データの上位Ｎ−２ビットと残りのビットとを分けて、異なるHD-SDIのデータストリームに多重することが可能である。
【０３６４】
また、以上の説明では、４ＫのRAWデータを伝送する例を示したが、本技術は、４Ｋ以外の解像度のRAWデータを伝送する場合にも適用できる。すなわち、上述した例と同様に、４Ｋ以外の解像度のRAWデータのＧサンプル、Ｂサンプル、Ｒサンプルの画素データを、SDIのデータストリームのＹチャネル、Ｃｂチャネル、Ｃｒチャネル、或いは、Ｇチャネル及びＡチャネル、Ｂチャネル、Ｒチャネルに多重化して伝送することが可能である。また、４Ｋも、必ずしも上述した4096サンプル×2140ラインに限定されるものではなく、4000サンプル×2000ライン前後の解像度（例えば、3840サンプル×2160ライン等）を含む。
【０３６５】
さらに、以上の説明では、ベイヤ配列のRAWデータを伝送する場合について説明したが、本技術は、ベイヤ配列以外の２×２画素のブロック単位で画素が配列された映像データを伝送する場合にも適用できる。より具体的には、例えば、ベイヤ配列と同様に２×２画素のブロック内に３色の異なる色に対応する画素が2:1:1の割合で配置されている映像データを伝送する場合にも本技術を適用することが可能である。この場合、上述したベイヤ配列のRAWデータを伝送する場合と同様の方法により、映像データを伝送することが可能である。
【０３６６】
或いは、例えば、図４５に示されるRGBW配列のように２×２画素のブロック内に４色の異なる色に対応する画素が配置されている映像データを伝送する場合にも本技術を適用することが可能である。この場合、上述したベイヤ配列のRAWデータを4:4:4:4（RGB+A）の映像データを伝送する方法により伝送する場合と同様の方法を適用することが可能である。例えば、RGBW配列の映像データの場合、Ｒサンプル、Ｇサンプル、Ｂサンプル、Ｗサンプルの画素データを、SDIのデータストリームのＲチャネル、Ｇチャネル、Ｂチャネル、Ａ（Auxiliary）チャネルにそれぞれ多重して伝送するようにすればよい。また、この場合、例えば、3G-SDIやのHD-SDIのdual-linkの伝送方式を採用することが可能である。
【０３６７】
［コンピュータの構成例］
上述した一連の処理は、ハードウエアにより実行することもできるし、ソフトウエアにより実行することもできる。一連の処理をソフトウエアにより実行する場合には、そのソフトウエアを構成するプログラムが、コンピュータにインストールされる。ここで、コンピュータには、専用のハードウエアに組み込まれているコンピュータや、各種のプログラムをインストールすることで、各種の機能を実行することが可能な、例えば汎用のパーソナルコンピュータなどが含まれる。
【０３６８】
図４６は、上述した一連の処理をプログラムにより実行するコンピュータのハードウエアの構成例を示すブロック図である。
【０３６９】
コンピュータにおいて、CPU（Central Processing Unit）６０１，ROM（Read Only Memory）６０２，RAM（Random Access Memory）６０３は、バス６０４により相互に接続されている。
【０３７０】
バス６０４には、さらに、入出力インタフェース６０５が接続されている。入出力インタフェース６０５には、入力部６０６、出力部６０７、記憶部６０８、通信部６０９、及びドライブ６１０が接続されている。
【０３７１】
入力部６０６は、キーボード、マウス、マイクロフォンなどよりなる。出力部６０７は、ディスプレイ、スピーカなどよりなる。記憶部６０８は、ハードディスクや不揮発性のメモリなどよりなる。通信部６０９は、ネットワークインタフェースなどよりなる。ドライブ６１０は、磁気ディスク、光ディスク、光磁気ディスク、又は半導体メモリなどのリムーバブルメディア６１１を駆動する。
【０３７２】
以上のように構成されるコンピュータでは、CPU６０１が、例えば、記憶部６０８に記憶されているプログラムを、入出力インタフェース６０５及びバス６０４を介して、RAM６０３にロードして実行することにより、上述した一連の処理が行われる。
【０３７３】
コンピュータ（CPU６０１）が実行するプログラムは、例えば、パッケージメディア等としてのリムーバブルメディア６１１に記録して提供することができる。また、プログラムは、ローカルエリアネットワーク、インターネット、デジタル衛星放送といった、有線または無線の伝送媒体を介して提供することができる。
【０３７４】
コンピュータでは、プログラムは、リムーバブルメディア６１１をドライブ６１０に装着することにより、入出力インタフェース６０５を介して、記憶部６０８にインストールすることができる。また、プログラムは、有線または無線の伝送媒体を介して、通信部６０９で受信し、記憶部６０８にインストールすることができる。その他、プログラムは、ROM６０２や記憶部６０８に、あらかじめインストールしておくことができる。
【０３７５】
なお、コンピュータが実行するプログラムは、本明細書で説明する順序に沿って時系列に処理が行われるプログラムであっても良いし、並列に、あるいは呼び出しが行われたとき等の必要なタイミングで処理が行われるプログラムであっても良い。
【０３７６】
また、本明細書において、システムとは、複数の構成要素（装置、モジュール（部品）等）の集合を意味し、すべての構成要素が同一筐体中にあるか否かは問わない。したがって、別個の筐体に収納され、ネットワークを介して接続されている複数の装置、及び、１つの筐体の中に複数のモジュールが収納されている１つの装置は、いずれも、システムである。
【０３７７】
さらに、本技術の実施の形態は、上述した実施の形態に限定されるものではなく、本技術の要旨を逸脱しない範囲において種々の変更が可能である。
【０３７８】
例えば、上述のフローチャートで説明した各ステップは、１つの装置で実行する他、複数の装置で分担して実行することができる。
【０３７９】
また、１つのステップに複数の処理が含まれる場合には、その１つのステップに含まれる複数の処理は、１つの装置で実行する他、複数の装置で分担して実行することができる。
【０３８０】
さらに、例えば、本技術は以下のような構成も取ることができる。
【０３８１】
（１）
第１乃至第４の色にそれぞれ対応する２×２画素のブロック単位で画素が配列された映像データの前記第１乃至第４の色にそれぞれ対応する第１乃至第４の画素データを所定のSDI（Serial Digital Interface）のフォーマットで規定されるデータストリームの第１乃至第４の信号の領域にそれぞれ多重するマッピング部を
備える信号処理装置。
（２）
前記マッピング部は、前記データストリームがＮビット（Ｎ≧１０）単位で構成され、Ｎビットのうちの上位ｍビット（８≦ｍ≦Ｎ−２）が全て同じ値のデータが禁止コードに設定されている場合、前記データストリームのＮビットのうちの上位ｍ−２ビット及び下位Ｎ−ｍビットに前記映像データの画素データを多重し、前記データストリームの上位ｍビットのうちの下位２ビットを互いに異なる値に設定する
前記（１）に記載の信号処理装置。
（３）
前記マッピング部は、前記映像データの画素データのデータ長がＮ−２ビットより大きく２Ｎ−４ビット以下である場合、前記画素データの上位Ｎ−２ビットと残りのビットとを異なるデータストリームに多重する
前記（２）に記載の信号処理装置。
（４）
前記マッピング部は、前記映像データの画素データの上位Ｎ−２ビットを画素単位で第１のデータストリームと第２のデータストリームに分けて多重し、前記映像データの画素データの残りのビットを画素単位で第３のデータストリームと第４のデータストリームに分けて多重する
前記（３）に記載の信号処理装置。
（５）
前記第１のデータストリームと前記第２のデータストリームを多重化することにより、3G-SDI（3G-Serial Digital Interface）のフォーマットで規定される第１の3G-SDIのデータストリームを生成し、前記第３のデータストリームと前記第４のデータストリームを多重化することにより、第２の3G-SDIのデータストリームを生成する多重部を
さらに備える前記（４）に記載の信号処理装置。
（６）
前記マッピング部は、前記映像データの画素を前記ブロック単位で水平方向に交互に間引くことにより生成される第１の映像データ及び第２の映像データのうち、前記第１の映像データの画素データの上位Ｎ−２ビットを前記第１のデータストリームに多重し、前記第１の映像データの画素データの残りのビットを前記第３のデータストリームに多重し、前記第２の映像データの画素データの上位Ｎ−２ビットを前記第２のデータストリームに多重し、前記第２の映像データの画素データの残りのビットを前記第４のデータストリームに多重する
前記（４）に記載の信号処理装置。
（７）
前記映像データの前記ブロック単位の水平方向のラインを交互に間引くことにより、第１の映像データと第２の映像データに分離する分離部を
さらに備え、
前記マッピング部は、前記第１の映像データの画素データの上位Ｎ−２ビットを画素単位で第１のデータストリームと第２のデータストリームに分けて多重し、前記第１の映像データの画素データの残りのビットを画素単位で第３のデータストリームと第４のデータストリームに分けて多重し、前記第２の映像データの画素データの上位Ｎ−２ビットを画素単位で第５のデータストリームと第６のデータストリームに分けて多重し、前記第２の映像データの画素データの残りのビットを画素単位で第７のデータストリームと第８のデータストリームに分けて多重する
前記（３）に記載の信号処理装置。
（８）
前記第１のデータストリームと前記第２のデータストリームを多重化することにより、3G-SDI（3G-Serial Digital Interface）のフォーマットで規定される第１の3G-SDIのデータストリームを生成し、前記第３のデータストリームと前記第４のデータストリームを多重化することにより、第２の3G-SDIのデータストリームを生成し、前記第５のデータストリームと前記第６のデータストリームを多重化することにより、第３の3G-SDIのデータストリームを生成し、前記第７のデータストリームと前記第８のデータストリームを多重化することにより、第４の3G-SDIのデータストリームを生成する第１の多重部を
さらに備える前記（７）に記載の信号処理装置。
（９）
前記第１乃至前記第４の3G-SDIのデータストリームを多重化することにより、10.692GbpsのSDIのフォーマットで規定されるデータストリームを生成する第２の多重部を
さらに備える前記（８）に記載の信号処理装置。
（１０）
前記第１乃至前記第８のデータストリームを多重化することにより、10.692GbpsのSDIのフォーマットで規定されるデータストリームを生成する多重部を
さらに備える前記（７）に記載の信号処理装置。
（１１）
前記マッピング部は、前記映像データの画素データを画素単位で第１のデータストリームと第２のデータストリームに分けて多重する
前記（１）乃至（３）のいずれかに記載の信号処理装置。
（１２）
前記映像データの前記ブロック単位の水平方向のラインを交互に間引くことにより、第１の映像データと第２の映像データに分離する分離部を
さらに備え、
前記マッピング部は、前記第１の映像データの画素データを画素単位で第１のデータストリームと第２のデータストリームに分けて多重し、前記第２の映像データの画素データを画素単位で第３のデータストリームと第４のデータストリームに分けて多重する
前記（１）乃至（３）のいずれかに記載の信号処理装置。
（１３）
前記映像データの画素がベイヤ配列に従って配列され、前記第１の色及び前記第２の色が緑、前記第３の色が青、前記第４の色が赤である場合、前記第１の信号及び前記第２の信号がＹ信号、前記第３の信号がＣｂ信号、前記第４の信号がＣｒ信号であるか、或いは、前記第１の信号がＧ信号、前記第２の信号がＡ（Auxiliary）信号、前記第３の信号がＢ信号、前記第４の信号がＲ信号である
前記（１）乃至（１２）のいずれかに記載の信号処理装置。
（１４）
前記映像データの画素がRGBW配列に従って配列され、前記第１の色が赤、前記第２の色が緑、前記第３の色が青、前記第４の色が白である場合、前記第１の信号がＲ信号、前記第２の信号がＧ信号、前記第３の信号がＢ信号、前記第４の信号がＡ（Auxiliary）信号である
前記（１）乃至（１２）のいずれかに記載の信号処理装置。
（１５）
信号処理装置が、
第１乃至第４の色にそれぞれ対応する２×２画素のブロック単位で画素が配列された映像データの前記第１乃至第４の色にそれぞれ対応する第１乃至第４の画素データを所定のSDI（Serial Digital Interface）のフォーマットで規定されるデータストリームの第１乃至第４の信号の領域にそれぞれ多重するマッピングステップを
含む信号処理方法。
（１６）
第１乃至第４の色にそれぞれ対応する２×２画素のブロック単位で画素が配列された映像データの前記第１乃至第４の色にそれぞれ対応する第１乃至第４の画素データを所定のSDI（Serial Digital Interface）のフォーマットで規定されるデータストリームの第１乃至第４の信号の領域にそれぞれ多重するマッピングステップを
含む処理をコンピュータに実行させるためのプログラム。
（１７）
第１乃至第４の色にそれぞれ対応する２×２画素のブロック単位で画素が配列された映像データの前記第１乃至第４の色にそれぞれ対応する第１乃至第４の画素データが所定のSDI（Serial Digital Interface）のフォーマットで規定されるデータストリームの第１乃至第４の信号の領域にそれぞれ多重されたデータストリームから、前記第１乃至第４の画素データを抽出し、前記映像データを復元する再生部を
備える信号処理装置。
（１８）
信号処理装置が、
第１乃至第４の色にそれぞれ対応する２×２画素のブロック単位で画素が配列された映像データの前記第１乃至第４の色にそれぞれ対応する第１乃至第４の画素データが所定のSDI（Serial Digital Interface）のフォーマットで規定されるデータストリームの第１乃至第４の信号の領域にそれぞれ多重されたデータストリームから、前記第１乃至第４の画素データを抽出し、前記映像データを復元する再生ステップを
含む信号処理方法。
（１９）
第１乃至第４の色にそれぞれ対応する２×２画素のブロック単位で画素が配列された映像データの前記第１乃至第４の色にそれぞれ対応する第１乃至第４の画素データが所定のSDI（Serial Digital Interface）のフォーマットで規定されるデータストリームの第１乃至第４の信号の領域にそれぞれ多重されたデータストリームから、前記第１乃至第４の画素データを抽出し、前記映像データを復元する再生ステップを
含む処理をコンピュータに実行させるためのプログラム。
（２０）
第１乃至第４の色にそれぞれ対応する２×２画素のブロック単位で画素が配列された映像データの前記第１乃至第４の色にそれぞれ対応する第１乃至第４の画素データを所定のSDI（Serial Digital Interface）のフォーマットで規定されるデータストリームの第１乃至第４の信号の領域にそれぞれ多重するマッピング部と、
前記データストリームの送信を制御する送信制御部と
を備える信号送信装置と、
前記データストリームの受信を制御する受信制御部と、
前記データストリームから前記第１乃至第４の画素データを抽出し、前記映像データを復元する再生部と
を備える信号受信装置と
を含む信号伝送システム。
【符号の説明】
【０３８２】
１  信号伝送システム,  １１−１乃至１１−ｎ，１１ａ乃至１１ｄ  放送用カメラ,  １２，１２ａ乃至１２ｄ  CCU，  １３−１乃至１３−ｎ  光ファイバケーブル，  １０１  撮像素子，  １０２  信号処理部，  １０３  送信制御部，  １１１  並び替え部，  １１２−１，１１２−２  マッピング部，  １１３−１，１１３−２  多重部，  １１４−１，１１４−２  スクランブル・P/S変換部，  １５１  受信制御部，  １５２  信号処理部，  １６１−１，１６１−２  S/P変換・デスクランブル部，  １６２−１，１６２−２  分離部，  １６３  再生部，  ２０１  撮像素子，  ２０２  信号処理部，  ２０３  送信制御部，  ２１１  分離部，  ２１２−１，２１２−２  並び替え部，  ２１３−１乃至２１３−４  マッピング部，  ２１４−１乃至２１４−４  多重部，  ２１５−１乃至２１５−４  スクランブル・P/S変換部，  ２５１  受信制御部，  ２５２  信号処理部，  ２６１−１乃至２６１−４  S/P変換・デスクランブル部，  ２６２−１乃至２６２−４  分離部，  ２６３  再生部，  ３０１  信号処理部，  ３０２  送信制御部，  ３２１−１乃至３２１−４  データ処理部，  ３２２  多重部，  ３２３  P/S変換部，  ３３１−１乃至３３１−４  S/P変換・デスクランブル部，  ３３２−１乃至３３２−４  分離部，  ３３４−１乃至３３４−５  8B/10Bエンコーダ，  ３３５−１乃至３３５−４  スクランブラ，  ３５１  受信制御部，  ３５２  信号処理部，  ３７１  S/P変換部，  ３７２  分離部，  ３７３−１乃至３７３−４  データ処理部，  ３８１−１乃至３８１−５  8B/10Bデコーダ，  ３８２−１乃至３８２−４  デスクランブラ，  ３８４−１乃至３８４−４  多重部，  ３８５−１乃至３８５−４  スクランブル・P/S変換部，  ４０１  信号処理部，  ４２１−１，４２１−２  データ処理部，  ４２２  多重部，  ４３１  8B/10Bエンコーダ，  ４５１  信号処理部，  ４７１  分離部，  ４７２−１，４７２−２  データ処理部，  ４８１  8B/10Bデコーダ
【図１】
2015019182.tif 000003
【図２】
2015019182.tif 000004
【図３】
2015019182.tif 000005
【図４】
2015019182.tif 000006
【図５】
2015019182.tif 000007
【図６】
2015019182.tif 000008
【図７】
2015019182.tif 000009
【図８】
2015019182.tif 000010
【図９】
2015019182.tif 000011
【図１０】
2015019182.tif 000012
【図１１】
2015019182.tif 000013
【図１２】
2015019182.tif 000014
【図１３】
2015019182.tif 000015
【図１４】
2015019182.tif 000016
【図１５】
2015019182.tif 000017
【図１６】
2015019182.tif 000018
【図１７】
2015019182.tif 000019
【図１８】
2015019182.tif 000020
【図１９】
2015019182.tif 000021
【図２０】
2015019182.tif 000022
【図２１】
2015019182.tif 000023
【図２２】
2015019182.tif 000024
【図２３】
2015019182.tif 000025
【図２４】
2015019182.tif 000026
【図２５】
2015019182.tif 000027
【図２６】
2015019182.tif 000028
【図２７】
2015019182.tif 000029
【図２８】
2015019182.tif 000030
【図２９】
2015019182.tif 000031
【図３０】
2015019182.tif 000032
【図３１】
2015019182.tif 000033
【図３２】
2015019182.tif 000034
【図３３】
2015019182.tif 000035
【図３４】
2015019182.tif 000036
【図３５】
2015019182.tif 000037
【図３６】
2015019182.tif 000038
【図３７】
2015019182.tif 000039
【図３８】
2015019182.tif 000040
【図３９】
2015019182.tif 000041
【図４０】
2015019182.tif 000042
【図４１】
2015019182.tif 000043
【図４２】
2015019182.tif 000044
【図４３】
2015019182.tif 000045
【図４４】
2015019182.tif 000046
【図４５】
2015019182.tif 000047
【図４６】
2015019182.tif 000048